(57)【要約】【課題】短辺に対して長辺の長さが長い矩形容器状であり、その中央部にファンによる風の導入口が形成されていても、中央及び両短辺側の放熱性に優れるヒートシンク及び冷却装置を提供する。【解決手段】矩形容器状のヒートシンクであって、矩形状の第一板状部と、矩形状の第二板状部と、第一板状部と第二板状部とを繋ぎ、互いに離隔されてなる第一側壁及び第二側壁と、第二板状部の中央部に開口する導入口と、第一板状部から第二板状部側に向かって突出する複数のフィンと、第一側壁と第二側壁との間でヒートシンクの中心に対して互いに点対称となる位置に開口する第一排出口及び第二排出口とを備え、ヒートシンクの長辺の長さが短辺の長さの１．５倍以上３倍以下の長さであり、複数のフィンは複数の放射フィンを有し、第一側壁及び第二側壁の各々は、特定の長さで特定の領域に形成される第一長辺部及び第二長辺部を有するヒートシンク。【選択図】図１
2020088001.tif 000002
【特許請求の範囲】
【請求項１】
電子部品と回路基板とを有する回路構成体を放熱する矩形容器状のヒートシンクであって、
前記回路構成体が載置される矩形状の第一板状部と、
前記第一板状部の前記回路構成体とは反対側に対向配置されて、前記ヒートシンク内に送風を行うファンが設けられる中央部を有する矩形状の第二板状部と、
前記第一板状部と前記第二板状部とを繋ぎ、互いに離隔されてなる第一側壁及び第二側壁と、
前記第二板状部の前記中央部に開口して、前記ファンからの風を前記ヒートシンク内に導入する導入口と、
前記第一板状部から前記第二板状部側に向かって突出して、前記導入口から導入された風を前記ヒートシンクの中央側から外周縁側に向かって導く複数のフィンと、
前記第一側壁と前記第二側壁との間で前記ヒートシンクの中心に対して互いに点対称となる位置に開口して、前記ヒートシンク内を流通する風を排出する第一排出口及び第二排出口とを備え、
前記第二板状部側から前記ヒートシンクを平面視したとき、前記ヒートシンクの長辺の長さが短辺の長さの１．５倍以上３倍以下の長さであり、
前記複数のフィンは、前記ヒートシンクの中央側から外周縁側に向かって放射状に延びる複数の放射フィンを有し、
前記第一側壁及び前記第二側壁の各々は、前記第一板状部及び前記第二板状部の長辺に沿った第一長辺部及び第二長辺部を有し、
前記第一長辺部及び前記第二長辺部の長手方向の長さは、前記ヒートシンクの前記長辺の長さの０．５倍以上の長さを有し、
前記第一長辺部及び前記第二長辺部はそれぞれ、少なくとも前記導入口における前記ヒートシンクの前記長辺側に対応する領域に形成されている、
ヒートシンク。
【請求項２】
前記ヒートシンクは、
前記ファンと対向する対向領域と、
前記対向領域の外側に位置する外側領域とを有し、
前記複数のフィンは、
前記対向領域に周方向に沿って設けられる複数の対向フィンと、
前記外側領域に設けられる複数の外側フィンとを有し、
前記複数の対向フィンは、前記放射フィンを有する請求項１に記載のヒートシンク。
【請求項３】
全ての前記対向フィンの高さが、前記外側フィンの高さの２５％以上７５％以下の高さである請求項２に記載のヒートシンク。
【請求項４】
前記複数の対向フィンは、前記ファンによる風の旋回方向に沿って湾曲する円弧状に形成されている請求項２又は請求項３に記載のヒートシンク。
【請求項５】
前記外側領域は、前記対向領域の外周を囲む正方形状の外形を有する枠領域を備え、
前記枠領域の外側辺の一辺の長さは、前記ヒートシンクの短辺と同じ長さを有し、
前記複数の外側フィンは、前記枠領域に設けられる複数の枠フィンを有し、
前記各対向フィンと前記各枠フィンとが一連に形成されていて、
前記各枠フィンは、前記各対向フィンに沿って湾曲する円弧状に形成されている請求項４に記載のヒートシンク。
【請求項６】
前記第一長辺部及び前記第二長辺部は、前記複数の枠フィンのうち一つの前記枠フィンと一連に形成されている請求項５に記載のヒートシンク。
【請求項７】
前記第一側壁及び前記第二側壁は、互いに対角位置に配置される第一Ｌ字状片及び第二Ｌ字状片を有し、
前記第一Ｌ字状片は、前記第一長辺部と、前記第一長辺部に一連に形成されて、前記第一板状部及び前記第二板状部の短辺に沿う第一短辺部とを有し、
前記第二Ｌ字状片は、前記第二長辺部と、前記第二長辺部に一連に形成されて、前記第一板状部及び前記第二板状部の短辺に沿う第二短辺部を有し、
前記第二板状部側から前記ヒートシンクを平面視し、前記ヒートシンクの長辺に沿った方向を左右方向とし、短辺に沿った方向を上下方向とするとき、
前記旋回方向が左回りであれば、前記第一Ｌ字状片及び前記第二Ｌ字状片は、その角部が前記ヒートシンクの左上側と右下側とに位置するように配置されて、
前記旋回方向が右回りであれば、前記第一Ｌ字状片及び前記第二Ｌ字状片は、その角部が前記ヒートシンクの左下側と右上側とに位置するように配置されている請求項６に記載のヒートシンク。
【請求項８】
前記第一排出口及び前記第二排出口における前記ヒートシンクの前記長辺に沿った長さは、前記ヒートシンクの前記長辺の長さの０．４倍以下の長さを有する請求項７に記載のヒートシンク。
【請求項９】
前記外側領域のうち前記枠領域よりも前記第一短辺部側及び前記第二短辺部側の領域は、前記上下方向を二等分したとき、
前記第一排出口側及び第二排出口側に設けられる第一排出領域及び第二排出領域と、
その反対側の前記第一Ｌ字状片及び前記第二Ｌ字状片の角部側に設けられる第一角部領域及び第二角部領域とを有し、
前記複数の外側フィンは、
前記第一排出領域及び第二排出領域のそれぞれに設けられる複数の第一排出フィン及び第二排出フィンと、
前記第一角部領域及び前記第二角部側領域のそれぞれに設けられる複数の第一角部フィン及び第二角部フィンとを有し、
前記複数の第一排出フィン及び前記複数の第二排出フィンはそれぞれ、前記第一短辺部及び前記第二短辺部に沿う直線状の部分を有し、
前記複数の第一角部フィン及び前記複数の第二角部フィンはそれぞれ、前記第一Ｌ字状片及び前記第二Ｌ字状片の角部側に向かって凸となるように湾曲する円弧状の部分を有する請求項７又は請求項８に記載のヒートシンク。
【請求項１０】
前記複数の外側フィンは、前記放射フィンを有し、
前記複数の対向フィン及び前記複数の外側フィンは、直線状に形成されており、
前記第一長辺部及び前記第二長辺部は、前記ヒートシンクの前記長辺の全長に亘る長さを有し、
前記第一排出口及び前記第二排出口は、前記ヒートシンクの前記各短辺の全長に亘って設けられている請求項２又は請求項３に記載のヒートシンク。
【請求項１１】
前記対向フィンの少なくとも一つは、前記外側フィンと一連に形成されている請求項１０に記載のヒートシンク。
【請求項１２】
前記対向領域における前記ヒートシンクの前記短辺に沿った長さは、前記ヒートシンクの前記短辺の長さの０．５倍以上の長さである請求項２から請求項１１のいずれか１項に記載のヒートシンク。
【請求項１３】
請求項１から請求項１２のいずれか１項に記載のヒートシンクと、
前記ヒートシンクの前記第二板状部の前記中央部に設けられて前記導入口から前記ヒートシンク内に送風を行うファンとを備える、
冷却装置。
【発明の詳細な説明】
【技術分野】
【０００１】
本開示は、ヒートシンク、及び冷却装置に関するものである。
【背景技術】
【０００２】
電子部品と回路基板とを有する回路構成体を放熱するヒートシンクとして、特許文献１の電子部品冷却装置が知られている。特許文献１の電子部品冷却装置は、ヒートシンクと冷却風送風ファンとを備える。ヒートシンクは、基盤と、基盤表面から突出する複数の放熱フィンとを有する。複数の放熱フィンは、基盤の中央部位から周縁部に向かって放射状に配設されている。各放熱フィンの形状は、直線状である。冷却風送風ファンは、放熱フィンに対向して配設されている。
【先行技術文献】
【特許文献】
【０００３】
【特許文献１】特開平１０−３０８４８７号公報
【発明の概要】
【発明が解決しようとする課題】
【０００４】
ヒートシンクをその冷却対象側から平面視したときの短辺の長さに対する長辺の長さの比（アスペクト比）が大きい場合、ファンの風をヒートシンクの中央から導入すると、ヒートシンクの中央部と両短辺側とが放熱し難い。ファンの風がヒートシンクの各長辺側から漏洩し易いため、ヒートシンクの中央部で十分に流通しないからである。ヒートシンクの両短辺側はファンからの距離が遠いため、ファンの風が行き渡り難いからである。
【０００５】
そこで、本開示は、短辺に対して長辺の長さが長い矩形容器状であり、その中央部にファンによる風の導入口が形成されていても、中央及び両短辺側の放熱性に優れるヒートシンクを提供することを目的の一つとする。
【０００６】
また、本開示は、短辺に対して長辺の長さが長い回路基板の中央及び両短辺側を冷却し易い冷却装置を提供することを目的の一つとする。
【課題を解決するための手段】
【０００７】
本開示に係るヒートシンクは、
電子部品と回路基板とを有する回路構成体を放熱する矩形容器状のヒートシンクであって、
前記回路構成体が載置される矩形状の第一板状部と、
前記第一板状部の前記回路構成体とは反対側に対向配置されて、前記ヒートシンク内に送風を行うファンが設けられる中央部を有する矩形状の第二板状部と、
前記第一板状部と前記第二板状部とを繋ぎ、互いに離隔されてなる第一側壁及び第二側壁と、
前記第二板状部の前記中央部に開口して、前記ファンからの風を前記ヒートシンク内に導入する導入口と、
前記第一板状部から前記第二板状部側に向かって突出して、前記導入口から導入された風を前記ヒートシンクの中央側から外周縁側に向かって導く複数のフィンと、
前記第一側壁と前記第二側壁との間で前記ヒートシンクの中心に対して互いに点対称となる位置に開口して、前記ヒートシンク内を流通する風を排出する第一排出口及び第二排出口とを備え、
前記第二板状部側から前記ヒートシンクを平面視したとき、前記ヒートシンクの長辺の長さが短辺の長さの１．５倍以上３倍以下の長さであり、
前記複数のフィンは、前記ヒートシンクの中央側から外周縁側に向かって放射状に延びる複数の放射フィンを有し、
前記第一側壁及び前記第二側壁の各々は、前記第一板状部及び前記第二板状部の長辺に沿った第一長辺部及び第二長辺部を有し、
前記第一長辺部及び前記第二長辺部の長手方向の長さは、前記ヒートシンクの前記長辺の長さの０．５倍以上の長さを有し、
前記第一長辺部及び前記第二長辺部はそれぞれ、少なくとも前記導入口における前記ヒートシンクの前記長辺側に対応する領域に形成されている。
【０００８】
本開示に係る冷却装置は、
本開示に係るヒートシンクと、
前記ヒートシンクの前記第二板状部の前記中央部に設けられて前記導入口から前記ヒートシンク内に送風を行うファンとを備える。
【発明の効果】
【０００９】
本開示に係るヒートシンクは、短辺に対して長辺の長さが長い矩形容器状であり、その中央部にファンによる風の導入口が形成されていても、中央及び両短辺側の放熱性に優れる。
【００１０】
本開示に係る冷却装置は、短辺に対する長辺の長さが長い回路構成体の中央及び両短辺側を冷却し易い。
【図面の簡単な説明】
【００１１】
【図１】図１は、実施形態１に係るヒートシンク、及び冷却装置の概略を示す斜視図である。
【図２】図２は、実施形態１に係るヒートシンクの一部の概略を示す斜視図である。
【図３】図３は、実施形態１に係るヒートシンクの一部の概略を示す平面図である。
【図４】図４は、図２の（ＩＶ）−（ＩＶ）切断線で切断したヒートシンクの概略を示す断面図である。
【図５】図５は、図１の（Ｖ）−（Ｖ）切断線で切断したヒートシンクの概略を示す断面図である。
【図６】図６は、図２の（ＶＩ）−（ＶＩ）切断線で切断したヒートシンクの概略を示す断面図である。
【図７】図７は、図１の（ＶＩＩ）−（ＶＩＩ）切断線で切断したヒートシンクの概略を示す断面図である。
【図８】図８は、実施形態２に係るヒートシンク、及び冷却装置の概略を示す斜視図である。
【図９】図９は、実施形態２に係るヒートシンクの一部の概略を示す斜視図である。
【図１０】図１０は、実施形態２に係るヒートシンクの一部の概略を示す平面図である。
【図１１】図１１は、図９の（ＸＩ）−（ＸＩ）切断線で切断したヒートシンクの概略を示す断面図である。
【図１２】図１２は、図９の（ＸＩＩ）−（ＸＩＩ）切断線で切断したヒートシンクの概略を示す断面図である。
【発明を実施するための形態】
【００１２】
《本開示の実施形態の説明》
最初に本開示の実施態様を列記して説明する。
【００１３】
（１）本開示の一態様に係るヒートシンクは、
電子部品と回路基板とを有する回路構成体を放熱する矩形容器状のヒートシンクであって、
前記回路構成体が載置される矩形状の第一板状部と、
前記第一板状部の前記回路構成体とは反対側に対向配置されて、前記ヒートシンク内に送風を行うファンが設けられる中央部を有する矩形状の第二板状部と、
前記第一板状部と前記第二板状部とを繋ぎ、互いに離隔されてなる第一側壁及び第二側壁と、
前記第二板状部の前記中央部に開口して、前記ファンからの風を前記ヒートシンク内に導入する導入口と、
前記第一板状部から前記第二板状部側に向かって突出して、前記導入口から導入された風を前記ヒートシンクの中央側から外周縁側に向かって導く複数のフィンと、
前記第一側壁と前記第二側壁との間で前記ヒートシンクの中心に対して互いに点対称となる位置に開口して、前記ヒートシンク内を流通する風を排出する第一排出口及び第二排出口とを備え、
前記第二板状部側から前記ヒートシンクを平面視したとき、前記ヒートシンクの長辺の長さが短辺の長さの１．５倍以上３倍以下の長さであり、
前記複数のフィンは、前記ヒートシンクの中央側から外周縁側に向かって放射状に延びる複数の放射フィンを有し、
前記第一側壁及び前記第二側壁の各々は、前記第一板状部及び前記第二板状部の長辺に沿った第一長辺部及び第二長辺部を有し、
前記第一長辺部及び前記第二長辺部の長手方向の長さは、前記ヒートシンクの前記長辺の長さの０．５倍以上の長さを有し、
前記第一長辺部及び前記第二長辺部はそれぞれ、少なくとも前記導入口における前記ヒートシンクの前記長辺側に対応する領域に形成されている。
【００１４】
上記の構成によれば、短辺に対して長辺の長さが長い矩形容器状であり、その中央部にファンによる風の導入口が形成されていても、中央及び両短辺側の放熱性に優れる。第一側壁及び第二側壁が特定の長さで特定の領域を覆う第一長辺部及び第二長辺部を有することで、ファンの風がヒートシンクの各長辺側から外部に漏洩することを抑制し易い。そのため、ヒートシンクの中央でファンの風を十分に流通させつつ、ファンの風をヒートシンクの上記両短辺側に流通させ易い。その上、複数のフィンが放射状フィンを有することで、ファンの風をスムースに流通させ易い。よって、圧力損失の増加を抑制し易い。
【００１５】
ヒートシンクの形状が上記矩形容器状であり、ヒートシンクの中央部に導入口が形成されている場合、第一側壁及び第二側壁が特定の長さで特定の領域を覆う第一長辺部及び第二長辺部が無ければ、ファンの風がヒートシンクの各長辺側から外部に漏洩する。そのため、ヒートシンクの中央及び上記両短辺側の放熱性を高め難い。
【００１６】
（２）上記ヒートシンクの一形態として、
前記ヒートシンクは、
前記ファンと対向する対向領域と、
前記対向領域の外側に位置する外側領域とを有し、
前記複数のフィンは、
前記対向領域に周方向に沿って設けられる複数の対向フィンと、
前記外側領域に設けられる複数の外側フィンとを有し、
前記複数の対向フィンは、前記放射フィンを有することが挙げられる。
【００１７】
上記の構成によれば、対向フィンが形成されていない場合に比較して、対向領域の放熱性を高め易い。対向フィンにより伝熱面積を大きくできるからである。また、対向フィンが形成されていない場合と同等程度に、外側領域（ヒートシンクの上記両短辺側）の放熱性を高め易い。対向フィンが放射フィンであることにより、対向フィンによる圧力損失の増加を抑制し易い。その上、導入口が第二板状部の中央部に形成されていて、特定の領域を覆う特定長さの第一長辺部及び第二長辺部を備えることにより、ファンの風を対向領域から外側領域に向かって効果的に導き易い。よって、対向フィンが形成されていても外側領域の放熱性の低下を抑制し易い。
【００１８】
（３）上記対向フィンと上記外側フィンとを有する上記ヒートシンクの一形態として、
全ての前記対向フィンの高さが、前記外側フィンの高さの２５％以上７５％以下の高さであることが挙げられる。
【００１９】
全ての対向フィンの高さが２５％以上の高さであれば、対向領域の放熱性を高め易い。伝熱面積を大きくし易いからである。全ての対向フィンの高さが７５％以下の高さであれば、対向領域の放熱性を高めつつ、上記両短辺側の放熱性を高め易い。伝熱面積を大きくしつつも、対向フィンの高さが高過ぎないことにより、圧力損失の増加を抑制し易いからである。
【００２０】
（４）上記対向フィンと上記外側フィンとを有する上記ヒートシンクの一形態として、
前記複数の対向フィンは、前記ファンによる風の旋回方向に沿って湾曲する円弧状に形成されていることが挙げられる。
【００２１】
上記の構成によれば、対向領域の放熱性を高め易い。対向領域でファンの風をスムースに流通させ易いからである。また、後述するように対向フィンの形状が直線状の場合に比較して、ヒートシンクの上記両短辺側の放熱性を高め易い。対向領域でファンの風をスムースに流通させ易いことで、ファンの風を対向領域から外側領域に導き易いからである。
【００２２】
（５）円弧状の上記対向フィンを有する上記ヒートシンクの一形態として、
前記外側領域は、前記対向領域の外周を囲む正方形状の外形を有する枠領域を備え、
前記枠領域の外側辺の一辺の長さは、前記ヒートシンクの短辺と同じ長さを有し、
前記複数の外側フィンは、前記枠領域に設けられる複数の枠フィンを有し、
前記各対向フィンと前記各枠フィンとが一連に形成されていて、
前記各枠フィンは、前記各対向フィンに沿って湾曲する円弧状に形成されていることが挙げられる。
【００２３】
上記の構成によれば、ヒートシンクの中央及び上記両短辺側の放熱性を高め易い。対向フィンと枠フィンとが一連に形成されていることで、ファンの風が対向フィンと枠フィンとの間から漏洩しない。そのため、ファンの風を枠領域の対向領域側から外周側に向かって導き易い。その上、枠フィンが円弧状に形成されていることで、枠領域でファンの風をスムースに流通させ易いからである。そのため、枠領域の対向領域側から外側に向かってファンの風を導き易い。よって、ファンの風をヒートシンクの上記両短辺側にまで効果的に導き易い。
【００２４】
（６）上記枠フィンを有する上記ヒートシンクの一形態として、
前記第一長辺部及び前記第二長辺部は、前記複数の枠フィンのうち一つの前記枠フィンと一連に形成されていることが挙げられる。
【００２５】
上記の構成によれば、ヒートシンクの中央及び上記両短辺側の放熱性を高め易い。ファンの風がヒートシンクの上記両短辺側を流通する前に第一排出口及び第二排出口から排出されることを抑制し易いからである。そのため、ファンの風をヒートシンクの上記両短辺側にまで効果的に導き易い。
【００２６】
（７）上記第一長辺部及び上記第二長辺部がそれぞれ一つの上記枠フィンと一連に形成されている上記ヒートシンクの一形態として、
前記第一側壁及び前記第二側壁は、互いに対角位置に配置される第一Ｌ字状片及び第二Ｌ字状片を有し、
前記第一Ｌ字状片は、前記第一長辺部と、前記第一長辺部に一連に形成されて、前記第一板状部及び前記第二板状部の短辺に沿う第一短辺部とを有し、
前記第二Ｌ字状片は、前記第二長辺部と、前記第二長辺部に一連に形成されて、前記第一板状部及び前記第二板状部の短辺に沿う第二短辺部を有し、
前記第二板状部側から前記ヒートシンクを平面視し、前記ヒートシンクの長辺に沿った方向を左右方向とし、短辺に沿った方向を上下方向とするとき、
前記旋回方向が左回りであれば、前記第一Ｌ字状片及び前記第二Ｌ字状片は、その角部が前記ヒートシンクの左上側と右下側とに位置するように配置されて、
前記旋回方向が右回りであれば、前記第一Ｌ字状片及び前記第二Ｌ字状片は、その角部が前記ヒートシンクの左下側と右上側とに位置するように配置されていることが挙げられる。
【００２７】
上記の構成によれば、ヒートシンクの中央及び上記両短辺側の放熱性を高め易い。第一Ｌ字状片及び第二Ｌ字状片により、ファンの風がヒートシンクの上記両短辺側を流通する前にヒートシンクの外部に漏洩することを抑制できて、ファンの風をヒートシンクの上記両短辺側にまで効果的に導き易いからである。
【００２８】
（８）上記第一Ｌ字状片及び上記第二Ｌ字状片を有する上記ヒートシンクの一形態として、
前記第一排出口及び前記第二排出口における前記ヒートシンクの前記長辺に沿った長さは、前記ヒートシンクの前記長辺の長さの０．４倍以下の長さを有することが挙げられる。
【００２９】
上記の構成によれば、ファンの風をヒートシンクの上記両短辺側にまで効果的に導き易い。第一排出口及び第二排出口の長さが過度に長過ぎない。そのため、ヒートシンクの上記両短辺側にファンの風が導かれる前に第一排出口及び第二排出口からファンの風が排出され難いからである。
【００３０】
（９）上記第一Ｌ字状片及び上記第二Ｌ字状片を有する上記ヒートシンクの一形態として、
前記外側領域のうち前記枠領域よりも前記第一短辺部側及び前記第二短辺部側の領域は、前記上下方向を二等分したとき、
前記第一排出口側及び第二排出口側に設けられる第一排出領域及び第二排出領域と、
その反対側の前記第一Ｌ字状片及び前記第二Ｌ字状片の角部側に設けられる第一角部領域及び第二角部領域とを有し、
前記複数の外側フィンは、
前記第一排出領域及び第二排出領域のそれぞれに設けられる複数の第一排出フィン及び第二排出フィンと、
前記第一角部領域及び前記第二角部側領域のそれぞれに設けられる複数の第一角部フィン及び第二角部フィンとを有し、
前記複数の第一排出フィン及び前記複数の第二排出フィンはそれぞれ、前記第一短辺部及び前記第二短辺部に沿う直線状の部分を有し、
前記複数の第一角部フィン及び前記複数の第二角部フィンはそれぞれ、前記第一Ｌ字状片及び前記第二Ｌ字状片の角部側に向かって凸となるように湾曲する円弧状の部分を有することが挙げられる。
【００３１】
上記の構成によれば、第一Ｌ字状片及び第二Ｌ字状片の角部でのファンの風の滞留を抑制し易い。第一角部フィン及び第二角部フィンが上記円弧状の部分を有することで、第一角部領域及び第二角部領域の枠領域側から第一排出領域側及び第二排出領域側にファンの風を導き易いからである。
【００３２】
また、上記の構成によれば、ヒートシンク内を流通する風を効果的に排出し易い。第一排出フィン及び第二排出フィンが上記直線状の部分を有することで、ファンの風を対向領域から各排出口に向かって導き易いからである。
【００３３】
（１０）上記対向フィンと上記外側フィンとを有する上記ヒートシンクの一形態として、
前記複数の外側フィンは、前記放射フィンを有し、
前記複数の対向フィン及び前記複数の外側フィンは、直線状に形成されており、
前記第一長辺部及び前記第二長辺部は、前記ヒートシンクの前記長辺の全長に亘る長さを有し、
前記第一排出口及び前記第二排出口は、前記ヒートシンクの前記各短辺の全長に亘って設けられていることが挙げられる。
【００３４】
上記の構成によれば、ヒートシンクの中央及び上記両短辺側の放熱性を高め易い。第一長辺部及び第二長辺部がヒートシンクの長辺の全長に亘って形成されていることで、ファンの風がヒートシンクの各長辺側から外部に漏洩することを抑制できる。そのため、ヒートシンクの中央でファンの風を十分に流通させつつ、ファンの風をヒートシンクの上記両短辺側に流通させ易い。また、第一排出口及び第二排出口がヒートシンクの各短辺に形成されていることで、ファンの風をヒートシンクの上記両短辺側に流通させ易い。更に、複数の対向フィン及び複数の外側フィンが上記放射フィンで構成されていることで、対向領域と外側領域とでファンの風をスムースに流通させ易い。その上、複数の対向フィン及び複数の外側フィンの形状が直線状であることで、対向領域と外側領域とでファンの風を第一排出口及び第二排出口に向かって直線的に流通させ易い。そのため、ファンの風をヒートシンクの上記両短辺側にまで効果的に導き易い。よって、圧力損失の増加を抑制し易い。
【００３５】
（１１）直線状の上記対向フィン及び上記外側フィンを有する上記ヒートシンクの一形態として、
前記対向フィンの少なくとも一つは、前記外側フィンと一連に形成されていることが挙げられる。
【００３６】
上記の構成によれば、ヒートシンクの中央及び上記両短辺側の放熱性を高め易い。対向フィンと外側フィンとが一連に形成されていることで、ファンの風を対向領域から外側領域に向かって導き易い。そのため、ファンの風をヒートシンクの上記両短辺側にまで効果的に導き易い。
【００３７】
（１２）上記対向領域を有する上記ヒートシンクの一形態として、
前記対向領域における前記ヒートシンクの前記短辺に沿った長さは、前記ヒートシンクの前記短辺の長さの０．５倍以上の長さであることが挙げられる。
【００３８】
対向領域の上記長さがヒートシンクの短辺の長さの０．５倍以上の長さであれば、ファンの大きさが十分に大きいため、ヒートシンクの上記両短辺側にファンの風を流通させ易い。
【００３９】
（１３）本開示の一態様に係る冷却装置は、
上記（１）から上記（１２）のいずれか一つのヒートシンクと、
前記ヒートシンクの前記第二板状部の前記中央部に設けられて前記導入口から前記ヒートシンク内に送風を行うファンとを備える。
【００４０】
上記の構成によれば、短辺に対する長辺の長さが長い回路構成体の中央及び両短辺側を冷却し易い。ヒートシンクは、上述のように、短辺に対して長辺の長さが長い矩形容器状であっても、中央及び上記両短辺側の放熱性を高め易いからである。
【００４１】
《本開示の実施形態の詳細》
本開示の実施形態の詳細を、以下に図面を参照しつつ説明する。図中の同一符号は同一名称物を示す。
【００４２】
《実施形態１》
〔冷却装置〕
図１から図７を参照して、実施形態１に係る冷却装置１Ａを説明する。冷却装置１Ａは、ヒートシンク１０とファン１１０とを備える。ファン１１０は、ヒートシンク１０内に送風を行う。ヒートシンク１０は、回路構成体（図示略）を放熱する。ヒートシンク１０の形状は矩形容器状である。ヒートシンク１０は、第一板状部２１と第二板状部２２と第一側壁３１と第二側壁３２と導入口２５と複数のフィン５０と第一排出口４１と第二排出口４２とを有する。第一板状部２１は、回路構成体が載置される。第二板状部２２は、第一板状部２１と対向配置されて、その中央部にファン１１０が配置される。第一側壁３１及び第二側壁３２は、第一板状部２１と第二板状部２２とを繋ぐ。導入口２５は、ヒートシンク１０内にファン１１０の風を導入する。複数のフィン５０は、第一板状部２１から第二板状部２２側に向かって突出する。第一排出口４１及び第二排出口４２は、ヒートシンク１０内を流通するファン１１０の風を排出する。冷却装置１Ａの特徴の一つは、ヒートシンク１０の短辺と長辺の長さの比が特定の範囲を満たす点、導入口２５が特定の箇所に開口している点、第一側壁３１及び第二側壁３２とが特定の長さで特定の領域を覆う第一長辺部３１１及び第二長辺部３２１を有する点、にある。以下、各構成を詳細に説明する。以下の説明では、ヒートシンク１０をファン１１０側から平面視したときのヒートシンク１０の長辺に沿った方向を左右方向、ヒートシンク１０の短辺に沿った方向を上下方向とする。
【００４３】
〔ヒートシンク〕
ヒートシンク１０は、回路構成体を放熱する（図１）。回路構成体は、電子部品と回路基板とを有する。ヒートシンク１０の形状は、矩形容器状である。ヒートシンク１０をファン１１０（第二板状部２２）側からヒートシンク１０を平面視したとき、ヒートシンク１０の長辺の長さが短辺の長さの１．５倍以上３倍以下の長さである（図３）。ヒートシンク１０の短辺の長さと長辺の長さとのアスペクト比（長辺の長さ／短辺の長さ）が１．５倍以上であっても、ヒートシンク１０の中央及び左右両端側の放熱性に優れる。後述する第一側壁３１及び第二側壁３２が特定の長さで特定の領域を覆う第一長辺部３１１及び第二長辺部３２１を有することで、ファン１１０の風がヒートシンク１０の各長辺側から外部に漏洩することを抑制し易い。そのため、ヒートシンク１０の中央でファン１１０の風を十分に流通させつつ、ファン１１０の風をヒートシンク１０の左右両端側に流通させ易い。ヒートシンク１０の上記アスペクト比が３倍以下であることで、ヒートシンク１０の左右両端側にファン１１０の風を導き易い。ヒートシンク１０の長辺の長さが過度に長過ぎないからである。ヒートシンク１０の長辺の長さは、短辺の長さの２倍以上を満たすことが好ましい。本例のヒートシンク１０の上記アスペクト比は、約２．３倍である。
【００４４】
［第一板状部］
第一板状部２１は、その外側面に回路構成体が載置される（図１から図３）。第一板状部２１の形状は、矩形状である。第一板状部２１の短辺と長辺の長さは、上述のヒートシンク１０のアスペクト比を満たす。第一板状部２１の内面には、複数のフィン５０（後述）が形成されている。
【００４５】
［第二板状部］
第二板状部２２は、その外側面の中央部にファン１１０が設けられる（図１、図５、図７）。中央部とは、第二板状部２２の上下方向及び左右方向の両方向の中央を言う。即ち、第二板状部２２の対角線の交点を含むその付近を言う。第二板状部２２の形状は、第一板状部２１と同様、矩形状である。第二板状部２２の短辺と長辺の長さは、第一板状部２１と同様、上述のヒートシンク１０のアスペクト比を満たす。第二板状部２２の短辺と長辺の長さは、第一板状部２１と同じである。第二板状部２２は、第一板状部２１との間に所定の間隔を空けて対向配置されている。本例では、第一板状部２１及び第二板状部２２の四隅の各角部に設けられた合計４つの支持部６０により第一板状部２１と第二板状部２２との間に所定の間隔が設けられている。第二板状部２２の中央部には、導入口２５が開口している。
【００４６】
（導入口）
導入口２５は、ファン１１０の風をヒートシンク１０内に導入する（図１、図３、図５、図７）。本例の導入口２５の形状は、正方形状である。なお、導入口２５の形状は、円形状でもよい。本例の導入口２５は、その対角線がヒートシンク１０の長辺及び短辺に略沿うように形成されている。導入口２５は、その一辺がヒートシンク１０の長辺（短辺）に沿うように形成されていてもよい。導入口２５の大きさは、ファン１１０（羽根１１２）の直径以上であればよい。本例の導入口２５の大きさは、ファン１１０のケーシング１２０（後述）の外形と同等のサイズとしている。導入口２５の大きさは、ケーシング１２０よりも小さくてもよい。
【００４７】
［第一側壁・第二側壁］
第一側壁３１及び第二側壁３２は、ヒートシンク１０の外部へのファン１１０の風の漏洩を防止して、ファン１１０の風を第一排出口４１及び第二排出口４２に導く（図１）。第一側壁３１及び第二側壁３２は、第一板状部２１と第二板状部２２とを繋ぎ、互いに離隔されてなる。第一側壁３１及び第二側壁３２は、ヒートシンク１０の中心（第一板状部２１の対角交点）に対して互いに点対称となるように構成されている。本例の第一側壁３１は第一Ｌ字状片３１０を有し、第二側壁３２は第二Ｌ字状片３２０を有する。第一Ｌ字状片３１０は、第一長辺部３１１と第一短辺部３１２とが一連に形成されてなる。第二Ｌ字状片３２０は、第二長辺部３２１と第二短辺部３２２とが一連に形成されてなる。なお、詳しくは後述するが、第一側壁３１及び第二側壁３２はそれぞれ、第一長辺部３１１及び第二長辺部３２１のみで構成されていてもよい。
【００４８】
（第一Ｌ字状片・第二Ｌ字状片）
第一Ｌ字状片３１０及び第二Ｌ字状片３２０は、互いに対角位置に配置されている（図１から図３）。第一Ｌ字状片３１０及び第二Ｌ字状片３２０の配置箇所は、ファン１１０による風の旋回方向に応じて適宜選択できる。本例の風の旋回方向は左回り（反時計回り）である。この場合、第一Ｌ字状片３１０は、その角部がヒートシンク１０の左上に位置するように配置される。第二Ｌ字状片３２０は、その角部がヒートシンク１０の右下に位置するように配置される。一方、本例とは風の旋回方向が逆の右回り（時計回り）の場合には次のように配置される。第一Ｌ字状片３１０は、その角部がヒートシンク１０の左下に位置するように配置される。第二Ｌ字状片３２０は、その角部がヒートシンク１０の右上に位置するように配置される。本例の第一Ｌ字状片３１０及び第二Ｌ字状片３２０の角部は、外側（互いの対向側とは反対側）に向かって凸となるように湾曲する円弧状に形成されている。第一Ｌ字状片３１０及び第二Ｌ字状片３２０の角部の外周面には、支持部６０（後述）が一体に成形されている。
【００４９】
〈第一長辺部・第二長辺部〉
第一長辺部３１１は、第一板状部２１の外周縁における一方（上方）の長辺と第二板状部２２の外周縁における一方の長辺とを繋ぐ（図１、図７）。第二長辺部３２１は、第一板状部２１の他方（下方）の長辺と第二板状部２２の他方の長辺とを繋ぐ。第一長辺部３１１及び第二長辺部３２１は、矩形状片で構成されている（図２，図４）。
【００５０】
本例の第一長辺部３１１及び第二長辺部３２１の高さは、後述する外側フィン５２（第一端部フィン５４など）の高さよりも少し高く、支持部６０（後述）の高さと同じ高さとしている（図５、図７）。即ち、第一板状部２１の内側面と第二板状部２２の内側面との間を直線状に結ぶ最短距離と同じである。
【００５１】
第一長辺部３１１の長さＬ１１及び第二長辺部３２１の長さＬ２１は、ヒートシンク１０の長辺の長さの０．５倍以上の長さを有する（図３）。第一長辺部３１１の長さＬ１１及び第二長辺部３２１の長さＬ２１が上記範囲を満たすことで、ファン１１０の風をヒートシンク１０の中央から左右両端側に亘って導き易い。ファン１１０の風がヒートシンク１０の長辺側から外部に漏洩することを抑制できるからである。本例におけるヒートシンク１０の長辺の長さとは、第一短辺部３１２の内側面と第二短辺部３２２の内側面とを直線状に結ぶ最短距離を言う。第一長辺部３１１の長さＬ１１は、第一短辺部３１２の内側面と枠フィン５３（後述）との連結箇所との間の第一長辺部３１１に沿った長さを言う。同様に、第二長辺部３２１の長さＬ２１は、第二短辺部３２２の内側面と枠フィン５３（後述）との連結箇所との間の第二長辺部３２１に沿った長さを言う。第一長辺部３１１の長さＬ１１及び第二長辺部３２１の長さＬ２１は、後述する複数のフィン５０の形状などによって適宜選択できる。本例の第一長辺部３１１の長さＬ１１及び第二長辺部３２１の長さＬ２１は、ヒートシンク１０の長辺の長さの約６０％の長さとしている。
【００５２】
第一長辺部３１１及び第二長辺部３２１の形成領域は、少なくともファン１１０（導入口２５）におけるヒートシンク１０の各長辺側に対応する領域である（図３）。ファン１１０に対応する領域に形成とは、第一長辺部３１１及び第二長辺部３２１が、ヒートシンク１０の各長辺に沿った方向におけるファン１１０の実質的に全長に亘る領域を覆うことを言う。ファン１１０の実質的に全長に亘る領域とは、ヒートシンク１０の各長辺に沿った方向におけるファン１１０の９０％以上を覆うことをいう。本例の第一長辺部３１１は、ファン１１０に対応する領域からヒートシンク１０の左上の角部に亘る領域に形成されている。一方、第二長辺部３２１は、ファン１１０に対応する領域からヒートシンク１０の右下の角部に亘る領域に形成されている。
【００５３】
第一長辺部３１１の一端部（図３紙面右側）は、第二端部領域９５側の固定部７０に繋がる枠フィン５３（後述）の下流側の端部と一連に形成されている（図２〜図４）。第二長辺部３２１の一端部（図３紙面左側）は、第一端部領域９４側の固定部７０に繋がる枠フィン５３（後述）の下流側の端部と一連に形成されている（図２〜図４）。第一長辺部３１１の他端部（図３紙面左側）は、第一短辺部３１２の一端部と一連に形成され、第二長辺部３２１の他端部（図３紙面右側）は、第二短辺部３２２の一端部と一連に形成されている（図２〜図４、図６）。
【００５４】
〈第一短辺部・第二短辺部〉
第一短辺部３１２は、第一板状部２１の外周縁における一方（左方）の短辺と第二板状部２２の外周縁における一方の短辺とを繋ぐ（図１、図５）。第二短辺部３２２は、第一板状部２１の他方（右方）の短辺と第二板状部２２の他方の短辺とを繋ぐ。第一短辺部３１２及び第二短辺部３２２は、第一長辺部３１１と同様、矩形状片で構成されている（図２，図６）。本例の第一短辺部３１２の他端部（図３紙面下側）には、支持部６０（後述）が一体に成形されている。同様に、第二短辺部３２２の他端部（図３紙面上側）には、支持部６０（後述）が一体に成形されている。
【００５５】
第一短辺部３１２及び第二短辺部３２２の高さは、第一長辺部３１１及び第二長辺部３２１の高さと同様である（図５）。第一短辺部３１２及び第二短辺部３２２の長さは、ヒートシンク１０の短辺と同等程度の長さとしている。即ち、第一短辺部３１２の形成領域は、ヒートシンク１０の短辺の略全長に亘る領域としている。本例では、第一短辺部３１２の長さＬ１２及び第二短辺部３２２の長さＬ２２は、第一長辺部３１１の内側面と第二長辺部３２１の内側面とを直線状に結ぶ最短距離を言う。なお、支持部６０が形成されていない場合、第一短辺部３１２の長さＬ１２は、第一長辺部３１１の内側面と第一短辺部３１２の上記他端部（図３紙面下側）との間の第一短辺部３１２に沿った長さを言う。同様に、第二短辺部３２２の長さＬ２２は、第二長辺部３２１の内側面と第二短辺部３２２の上記他端部（図３紙面上側）との間の、第二短辺部３２２に沿った長さを言う。
【００５６】
［第一排出口・第二排出口］
第一排出口４１及び第二排出口４２は、ヒートシンク１０内を流通するファン１１０の風を排出する（図１〜図３）。第一排出口４１及び第二排出口４２は、第一側壁３１と第二側壁３２との間でヒートシンク１０の中心に対して互いに点対称となる位置に開口する。本例の第一排出口４１は、第一短辺部３１２の上記他端部（図３紙面下側）と第二長辺部３２１の上記一端部（図３紙面左側）との間に形成されている。第二排出口４２は、第二短辺部３２２の上記他端部（図３紙面上側）と第一長辺部３１１の上記一端部（図３紙面右側）との間に形成されている。即ち、第一排出口４１はヒートシンク１０の左下側に位置し、第二排出口４２はヒートシンク１０の右上側に位置する。
【００５７】
第一排出口４１及び第二排出口４２のヒートシンク１０の長辺に沿った長さは、ヒートシンク１０の長辺の長さの０．４倍以下の長さを有することが好ましい（図３）。第一排出口４１及び第二排出口４２の長さが過度に長過ぎない。そのため、ヒートシンク１０の左右両端側にファン１１０の風が導かれる前に第一排出口４１及び第二排出口４２からファン１１０の風が排出され難いからである。よって、ファン１１０の風をヒートシンク１０の左右両端側にまで効果的に導き易い。本例における第一排出口４１のヒートシンク１０の長辺に沿った長さとは、第一短辺部３１２の上記他端部（図３紙面下側）における支持部６０の最も第二長辺部３２１に近い箇所と第二長辺部３２１の上記一端部（図３紙面左側）との間の距離を言う。同様に、第二排出口４２のヒートシンク１０の長辺に沿った長さとは、第二短辺部３２２の上記他端部（図３紙面上側）における支持部６０の最も第一長辺部３１１に近い箇所と第一長辺部３１１の上記一端部（図３紙面右側）との間の距離を言う。第一排出口４１及び第二排出口４２の上記長さは、ヒートシンク１０における長辺の長さの０．２倍以上の長さを有することが好ましい。第一排出口４１及び第二排出口４２の上記長さが、ヒートシンク１０における長辺の長さの０．２倍以上の長さであれば、ファン１１０の風を排出し易い。
【００５８】
［領域］
ヒートシンク１０は、対向領域９１と外側領域９２とを有する（図３）。
【００５９】
（対向領域）
対向領域９１は、ファン１１０に対向する領域である。対向領域９１の形状は、円形状である。対向領域９１の大きさは、導入口２５よりも小さく、ファン１１０の直径と同等である。対向領域９１は、ファン１１０の軸に対向する軸対向領域９１１と、ファン１１０の羽根１１２に対向する羽根対向領域９１２とを有する。軸対向領域９１１は、ヒートシンク１０の中央における円形の領域である。羽根対向領域９１２は、軸対向領域９１１の外周を囲む円形枠状の領域である。
【００６０】
（外側領域）
外側領域９２は、対向領域９１の外側に位置する領域である。本例の外側領域９２は、枠領域９３と第一端部領域９４と第二端部領域９５とを有する。
【００６１】
〈枠領域〉
枠領域９３は、対向領域９１の外周を囲む領域である。枠領域９３の内形は、円形状である。枠領域９３の内周は、導入口２５の内側に位置しており、枠領域９３の内周の直径は、対向領域９１の直径に相当する。枠領域９３の外形は、正方形状である。枠領域９３の外側辺の一辺の長さは、ヒートシンク１０の短辺と同じ長さを有する。
【００６２】
〈第一端部領域・第二端部領域〉
第一端部領域９４は、枠領域９３よりも第一短辺部３１２側の矩形状の領域である。第二端部領域９５は、枠領域９３よりも第二短辺部３２２側の矩形状の領域である。第一端部領域９４は、第一排出領域９４１と第一角部領域９４２とを有し、第二端部領域９５は、第二排出領域９５１と第二角部領域９５２とを有する。第一排出領域９４１と第一角部領域９４２とはそれぞれ、第一端部領域９４を上下方向に二等分したとき、上下方向の一端側と他端側とに設けられる。同様に、第二排出領域９５１と第二角部領域９５２とはそれぞれ、第二端部領域９５を上下方向に二等分したとき、上下方向の一端側と他端側とに設けられる。第一排出領域９４１と第二排出領域９５１とは互いに対角に位置していて、第一角部領域９４２と第二角部領域９５２とは互いに対角に位置している。
【００６３】
・第一排出領域と第二排出領域
第一排出領域９４１は、第一排出口４１側の矩形状の領域である。第二排出領域９５１は、第二排出口４２側の矩形状の領域である。本例の第一排出領域９４１はヒートシンク１０の左下に位置し、第二排出領域９５１はヒートシンク１０の右上に位置している。
【００６４】
・第一角部領域と第二角部領域
第一角部領域９４２は、第一Ｌ字状片３１０の角部側における矩形状の領域である。第二角部領域９５２は、第二Ｌ字状片３２０の角部側における矩形状の領域である。本例の第一角部領域９４２はヒートシンク１０の左上に位置し、第二角部領域９５２はヒートシンク１０の右下に位置している。
【００６５】
［フィン］
複数のフィン５０は、第二板状部２２の導入口２５から導入された風をヒートシンク１０の中央側から外周縁側に向かって導く（図１〜図３）。複数のフィン５０は、第一板状部２１の内面から第二板状部２２側に向かって突出する。複数のフィン５０は、対向フィン５１と外側フィン５２とを有する。
【００６６】
（対向フィン）
対向フィン５１は、対向領域９１の羽根対向領域９１２に形成される（図３）。対向フィン５１は、対向領域９１の軸対向領域９１１には形成されていない。対向フィン５１を備えることで、対向領域９１にフィンが形成されていない場合に比較して、対向領域９１（ヒートシンク１０の中央）の放熱性を高め易い。対向フィン５１により伝熱面積を大きくできるからである。また、対向フィン５１が形成されていない場合と同等程度に、外側領域９２（ヒートシンク１０の左右両端側）における放熱性を高め易い。対向フィン５１が後述するように放射フィンであることにより、対向フィン５１による圧力損失の増加を抑制し易い。その上、導入口２５が第二板状部２２の中央部に形成されていて、第一長辺部３１１及び第二長辺部３２１を備えることにより、ファン１１０の風を対向領域９１から外側領域９２に向かって効果的に導き易い。よって、対向フィン５１が形成されていても、外側領域９２の放熱性の低下を抑制し易い。
【００６７】
対向フィン５１の数は複数である。対向フィン５１の具体的な数は、対向領域９１のサイズに応じて適宜選択できる。本例の対向フィン５１の数は１２本である。１２本の対向フィン５１は、羽根対向領域９１２の周方向に沿って並列するように設けられている。１２本の対向フィン５１は、ヒートシンク１０の中央側から外周縁側に向かって放射状に延びる放射フィンで構成されている。複数の対向フィン５１が放射状フィンで構成されていることで、対向領域９１でファン１１０の風をスムースに流通させ易い。
【００６８】
各対向フィン５１の形状は、ファン１１０による風の旋回方向（左回り）に沿って湾曲する円弧状である。即ち、各対向フィン５１は、対向フィン５１の旋回方向側が凹、旋回方向と反対側が凸となるように湾曲している。各対向フィン５１の形状が上記円弧状であることで、対向領域９１の放熱性を高め易い。対向領域９１でファン１１０の風をスムースに流通させ易いからである。また、対向フィン５１の形状が直線状（後述）の場合に比較して、ヒートシンク１０の左右両端側の放熱性を高め易い。対向領域９１でファン１１０の風をスムースに流通させ易いことで、ファン１１０の風を対向領域９１から外側領域９２に流通させ易いからである。対向フィン５１の曲げ半径は、ファン１１０による風の強弱によって適宜選択できる。
【００６９】
隣り合う対向フィン５１同士の間隔は、羽根対向領域９１２の軸対向領域９１１側から枠領域９３側に亘って均一であってもよいし不均一であってもよい。隣り合う対向フィン５１同士の間隔の各々は、互いに同一であってもよいし、異なっていてもよい。本例では、隣り合う対向フィン５１同士の間隔は不均一である。具体的には、隣り合う対向フィン５１同士の軸対向領域９１１側の間隔が狭く、枠領域９３側の間隔が広い。隣り合う対向フィン５１同士の間隔は、対向領域９１の中心側から対向領域９１の外周縁側に向かって漸次広くなるように形成されている。
【００７０】
各対向フィン５１の高さＨ１は、外側フィン５２（第一端部フィン５４など）の高さＨ２の２５％以上７５％以下の長さを有することが好ましい（図５，図７）。対向フィン５１の高さＨ１が外側フィン５２の高さＨ２の２５％以上の長さであれば、対向領域９１の放熱性を高め易い。伝熱面積を大きくし易いからである。対向フィン５１の高さＨ１が外側フィン５２の高さＨ２の７５％以下の長さであれば、対向領域９１の放熱性を高めつつ、ヒートシンク１０の左右両端側における放熱性を高め易い。伝熱面積を大きくしつつも、対向フィン５１の高さＨ１が高過ぎないことにより、圧力損失の増加を抑制し易いからである。
【００７１】
対向フィン５１の高さＨ１とは、第一板状部２１に直交する方向に沿った長さを言う。外側フィン５２の高さＨ２とは、対向フィン５１の高さＨ１と同様、第一板状部２１に直交する方向に沿った長さを言う。外側フィン５２の高さＨ２は、第一板状部２１の内側面と第二板状部２２の内側面との間を直線状に結ぶ最短距離の９０％以上の長さを有することが好ましく、上記最短距離の９４％以上の長さを有することが更に好ましく、上記最短距離の９７％以上長さを有することが特に好ましい。外側フィン５２の高さＨ２は、第一長辺部３１１及び第二長辺部３２１の高さと同じ高さとしてもよい。本例の外側フィン５２の高さＨ２とは、外側フィン５２のうち、第一長辺部３１１及び第二長辺部３２１に繋がる枠フィン５３を除く枠フィン５３、第一端部フィン５４、及び第二端部フィン５５の高さを言う。なお、外側フィン５２同士の高さが相違する場合には、外側フィン５２の高さＨ２とは、外側フィン５２の最も低い高さとする。
【００７２】
対向フィン５１の高さＨ１は、外側フィン５２の高さＨ２の３０％以上７０％以下の長さを有することが好ましく、外側フィン５２の高さＨ２の３５％以上６５％以下の長さを有することが更に好ましく、外側フィン５２の高さＨ２の４０％以上６０％以下の長さを有することが特に好ましい。
【００７３】
本例の各対向フィン５１の高さＨ１は、外側フィン５２の高さＨ２の２５％以上７５％以下の長さを有する。各対向フィン５１の高さＨ１は、各対向フィン５１の延伸方向（軸対向領域９１１側から枠領域９３側）に沿って均一である。なお、少なくとも一つの対向フィン５１の高さＨ１は、その延伸方向に沿って不均一であってもよい。対向フィン５１の高さＨ１は、例えば、羽根対向領域９１２の軸対向領域９１１側から枠領域９３側に向かって漸次高くなるように傾斜していてもよいし、段差状になっていてもよい。本例における全ての対向フィン５１の高さＨ１は同一である。なお、少なくとも一つの対向フィン５１の高さＨ１が他の対向フィン５１の高さＨ１と異なっていてもよい。
【００７４】
各対向フィン５１の長さは、互いに同一である（図３）。対向フィン５１の長さとは、対向フィン５１の延伸方向に沿った長さである。この点は、後述する外側フィン５２の長さでも同様である。
【００７５】
各対向フィン５１の厚さは、その延伸方向に沿って均一である。なお、少なくとも一つの対向フィン５１の厚さは、その延伸方向に沿って不均一であってもよい。対向フィン５１の厚さは、例えば、羽根対向領域９１２の軸対向領域９１１側から枠領域９３側に向かって漸次薄く（厚く）なっていてもよいし、局所的に薄く（厚く）なっていてもよい。本例における全ての対向フィン５１の厚さは同一である。なお、少なくとも一つの対向フィン５１の厚さが他の対向フィン５１の厚さと異なっていてもよい。対向フィン５１の厚さとは、高さ方向と延伸方向の両方向に直交する方向に沿った長さである。この点は、後述する外側フィン５２の厚さでも同様である。
【００７６】
（外側フィン）
外側フィン５２は、外側領域９２に設けられる（図３）。本例の外側フィン５２は、枠フィン５３と、第一端部フィン５４（第一排出フィン５４１、第一角部フィン５４２）と、第二端部フィン５５（第二排出フィン５５１、第二角部フィン５５２）とを有する。
【００７７】
〈枠フィン〉
枠フィン５３は、枠領域９３に設けられる。枠フィン５３を備えることで、ファン１１０の風を枠領域９３の対向領域９１側から第一端部領域９４側及び第二端部領域９５側に向かって導き易い。
【００７８】
枠フィン５３の数は複数である。枠フィン５３の具体的な数は、枠領域９３の大きさや対向フィン５１の数などに応じて適宜選択できる。本例の枠フィン５３の数は、対向フィン５１と同数の１２本である。なお、枠フィン５３の数は、対向フィン５１の数よりも多くてもよいし少なくてもよい。１２本の枠フィン５３は、上記放射フィンで構成されている。
【００７９】
各枠フィン５３の形状は、対向フィン５１に沿って湾曲する円弧状である。枠フィン５３が円弧状に形成されていることで、枠領域９３でファン１１０の風をスムースに流通させ易い。そのため、枠領域９３の対向領域９１側から外側に向かってファン１１０の風を導き易い。よって、ファン１１０の風をヒートシンク１０の左右両端側にまで効果的に導き易い。
【００８０】
隣り合う枠フィン５３同士の間隔は、ファン１１０の風の上流側（枠領域９３の対向領域９１側（対向フィン５１側））が狭く、下流側（枠領域９３の外周側）が広い。隣り合う対向フィン５１同士の間隔は、ファン１１０の風の上流側から下流側に向かってに漸次広くなるように形成されている。
【００８１】
各枠フィン５３の上記上流側の端部は、対向フィン５１の枠領域９３側の端部に対して、直接又は間接的に一連に形成されている。そのため、ファン１１０の風を枠フィン５３の対向領域９１側から枠領域９３の外周側に向かって導き易い。対向フィン５１と枠フィン５３とが一連に形成されていることで、ファン１１０の風が対向フィン５１と枠フィン５３との間から漏洩しないからである。
【００８２】
本例では、１２本の枠フィン５３のうち、８本の枠フィン５３の上記上流側の端部が対向フィン５１の枠領域９３側の端部に対して直接連結されている。残り４本の枠フィン５３の上記上流側の端部が４つの固定部７０（後述）を介して対向フィン５１の枠領域９３側の端部と連結されている。
【００８３】
４つの固定部７０は、本例ではヒートシンク１０の中心に対して略上下左右の方向に沿って第一長辺部３１１側（上）、第二長辺部３２１側（下）第一端部領域９４側（左）、第二端部領域９５側（右）の各位置に、周方向に沿って互いに等間隔となるように設けられている。
【００８４】
上方の固定部７０に繋がる枠フィン５３は、第一端部領域９４側に延びていて、第一長辺部３１１との間に所定の間隔が設けられている。上方の固定部７０に繋がる枠フィン５３の上記下流側の端部は、２本の第一角部フィン５４２における枠領域９３側の端部（後述する突出端部）同士の間に向かうように設けられている。下方の固定部７０に繋がる枠フィン５３は、第二端部領域９５側に延びていて、第二長辺部３２１との間に所定の間隔が設けられている。下方の固定部７０に繋がる枠フィン５３の上記下流側の端部は、上方の固定部７０に繋がる枠フィン５３と同様、２本の第二角部フィン５５２における枠領域９３側の端部（後述する突出端部）同士の間に向かうように設けられている。
【００８５】
右方の固定部７０に繋がる枠フィン５３は、その固定部７０から第一長辺部３１１側に伸びている。右方の固定部７０に繋がる枠フィン５３の上記下流側の端部は、第一長辺部３１１の一端部に直接連結されている。左方の固定部７０に繋がる枠フィン５３は、その固定部７０から第二長辺部３２１側に延びている。左方の固定部７０に繋がる枠フィン５３の上記下流側の端部は、第二長辺部３２１の一端部に直接連結されている。右方の固定部７０に繋がる枠フィン５３と第一長辺部３１１とが一連に形成され、左方の固定部７０に繋がる枠フィン５３と第二長辺部３２１とが一連に形成されていることで、ファン１１０の風がヒートシンク１０の左右両端側を流通する前に第一排出口４１及び第二排出口４２から排出されることを抑制できる。よって、ヒートシンク１０の中央及び左右両端側の放熱性を高め易い。
【００８６】
対向フィン５１に直接繋がる８本の枠フィン５３は、隣り合う固定部７０同士の間の各々に２本ずつ配置されている。上方の固定部７０と右方の固定部７０との間に位置する２本の枠フィン５３及び下方の固定部７０と左方の固定部７０との間に位置する２本の枠フィン５３は、第一長辺部３１１側及び第二長辺部３２１側に向かって延びている。上方の固定部７０と右方の固定部７０との間に位置する各枠フィン５３の上記下流側の端部及び下方の固定部７０と左方の固定部７０との間に位置する各枠フィン５３の上記下流側の端部は、第一長辺部３１１及び第二長辺部３２１との間に所定の間隔が設けられる。上方の固定部７０と左方の固定部７０との間に位置する２本の枠フィン５３及び下方の固定部７０と左方の固定部７０との間に位置する２本の枠フィン５３は、第一端部領域９４側及び第二端部領域９５側に向かって延びている。上方の固定部７０と左方の固定部７０との間に位置する各枠フィン５３と下方の固定部７０と右方の固定部７０との間に位置する２本の枠フィン５３とは、後述する延長部を有する。
【００８７】
少なくとも一つの枠フィン５３は、枠領域９３から外側（第一端部領域９４側及び第二端部領域９５側）に亘って形成される延長部を有していてもよい。延長部を有していれば、枠領域９３から第一端部領域９４や第二端部領域９５に亘ってファン１１０の風を流通させ易い。延長部は、枠領域９３から外側に亘って直線状に延びていてもよいし湾曲状に延びていてもよい。
【００８８】
本例では、上方の固定部７０と左方の固定部７０との間に位置する２つの枠フィン５３と下方の固定部７０と右方の固定部７０との間に位置する２つの枠フィン５３とが延長部を有する。上方側の枠フィン５３の延長部及び下方側の枠フィン５３の延長部は、枠領域９３から第一角部領域９４２及び第二角部領域９５２に向かって直線状に延びている。左方側の枠フィン５３の延長部及び右方側の延長部は、枠領域９３から第一排出領域９４１及び第二排出領域９５１に向かって直線状に延びている。
【００８９】
上方側の枠フィン５３の延長部における上記下流側の端部は、第一排出領域９４１の枠領域９３側から３番目の第一排出フィン５４１における傾斜状の部分（後述）と同４番目の第一排出フィン５４１における湾曲状の部分（後述）との間に向かうように設けられている。下方側の枠フィン５３の延長部における上記下流側の端部は、上方側の枠フィン５３における延長部と同様、第二排出領域９５１の枠領域９３側から３番目の第二排出フィン５５１における傾斜状の部分と同４番目の第二排出フィン５５１における湾曲状の部分との間に向かうように設けられている。左方側の枠フィン５３の延長部における上記下流側の端部は、第一排出領域９４１の枠領域９３側から２番目の第一排出フィン５４１と同３番目の第一排出フィン５４１との間に向かうように設けられている。右方側の枠フィン５３の延長部における上記下流側の端部は、左方側の枠フィン５３における突出端部の先端と同様、第二排出領域９５１の枠領域９３側から２番目の第二排出フィン５５１と同３番目の第二排出フィン５５１との間に向かうように設けられている。
【００９０】
各枠フィン５３の高さは、各枠フィン５３の延伸方向に沿って均一である（図５，図７）。本例では、第一長辺部３１１及び第二長辺部３２１に繋がる枠フィン５３の高さは、その他の枠フィン５３の高さよりも高く、第一長辺部３１１及び第二長辺部３２１と同じ高さである。そのため、ファン１１０の風が第一長辺部３１１及び第二長辺部３２１に繋がる枠フィン５３を乗り越えることを抑制できる。よって、その枠フィン５３に沿ってファン１１０の風を流通させ易い。その他の枠フィン５３の高さは、第一長辺部３１１及び第二長辺部３２１よりも少し低いが、対向フィン５１よりも高くて、後述する第一端部フィン５４及び第二端部フィン５５と同様の高さである。なお、全ての枠フィン５３の高さは、同一であってもよい。
【００９１】
各枠フィン５３の厚さは、その延伸方向に沿って均一であり、全ての枠フィン５３の厚さが同一である（図３）。なお、対向フィン５１と同様、少なくとも一つの枠フィン５３の厚さは、その延伸方向に沿って不均一であってもよいし、少なくとも一つの枠フィン５３の厚さが他の枠フィン５３の厚さと異なっていてもよい。
【００９２】
〈第一端部フィン・第二端部フィン〉
第一端部フィン５４及び第二端部フィン５５は、第一端部領域９４及び第二端部領域９５に形成される。本例の第一端部フィン５４は、第一排出フィン５４１と第一角部フィン５４２とを有する。第二端部フィン５５は、第二排出フィン５５１と第二角部フィン５５２とを有する。第一排出フィン５４１と第二排出フィン５５１とは、ヒートシンク１０の中心に対して互いに点対称となるように設けられている。同様に、第一角部フィン５４２と第二角部フィン５５２とは、ヒートシンク１０の中心に対して互いに点対称となるように設けられている。以下、第一排出フィン５４１と第一角部フィン５４２とを説明し、第二排出フィン５５１と第二角部フィン５５２については説明を省略する。
【００９３】
・第一排出フィン（第二排出フィン）
第一排出フィン５４１は、第一排出領域９４１に設けられる。第一排出フィン５４１が設けられることで、ファン１１０の風を第一排出領域９４１の対向領域９１側や第一角部領域９４２側から第一排出口４１側に向かって流通させ易い。
【００９４】
第一排出フィン５４１の数は、複数である。第一排出フィン５４１の具体的な数は、第一排出領域９４１の大きさなどに応じて適宜選択できる。本例の第一排出フィン５４１の数は８本である。８本の第一排出フィン５４１は、左右方向に並列している。
【００９５】
各第一排出フィン５４１は、第一短辺部３１２に沿う直線状の部分を有する。上記直線状の部分を有することで、ファン１１０の風を第一排出口４１に向かって導き易い。少なくとも一つの第一排出フィン５４１は、更に、上記直線状の部分に一連に形成される傾斜状の部分及び円弧状の部分の少なくとも一方を有していてもよい。傾斜状の部分とは、直線状の部分に対して傾斜する部分を言う。傾斜状の部分及び円弧状の部分は、上記直線状の部分における第一角部領域９４２側の端部に一連に形成されて、枠領域９３側（枠フィン５３の突出端部側）に向かって延びていることが好ましい。ファン１１０の風を、枠領域９３側から上記直線状の部分に導き易いからである。
【００９６】
少なくとも一つの第一排出フィン５４１は、第一排出領域９４１の外側（第一角部領域９４２及び枠領域９３の少なくとも一方）にはみ出す突出端部を有していてもよい。突出端部を有していれば、ファン１１０の風を第一角部領域９４２や枠領域９３から第一排出領域９４１に流通させ易い。突出端部は、第一排出領域９４１の外側に向かって直線状に延びていてもよいし湾曲状に延びていてもよい。
【００９７】
本例では、第一排出領域９４１の枠領域９３側から１番目と２番目の第一排出フィン５４１は、上記直線状の部分のみで構成される。同３番目の第一排出フィン５４１は、上記直線状の部分と傾斜状の部分とで構成されている。上記傾斜状の部分は、上記直線状の部分におけるファン１１０の風の上流側（第一角部領域９４２側）の端部に一連に形成されている。傾斜状の部分は、直線状の部分から枠領域９３側（枠フィン５３の延長部側）に向かって傾斜している。この傾斜状の部分における上流側の端部は、第一角部領域９４２に延びる枠フィン５３の延長部と第一排出領域９４１に延びる枠フィン５３の延長部との間に向かうように設けられている。同４番目の第一排出フィン５４１は、上記直線状の部分と湾曲状の部分と後述する突出端部で構成されている。上記円弧状の部分は、上記直線状の部分における上記上流側の端部に一連に形成されている。円弧状の部分は、直線状の部分から枠領域９３側（枠フィン５３の突出端部側）に向かって湾曲している。同５番目〜同８番目の第一排出フィン５４１は、上記直線状の部分と後述する突出端部とで構成されている。同１番目〜同６番目の第一排出フィン５４１におけるファン１１０の風の下流側の端部は、第一排出口４１に面するように設けられている。同７番目及び同８番目の第一排出フィン５４１の上記下流側の端部は、第一短辺部３１２の上記他端部に繋がる支持部６０近傍に設けられている。
【００９８】
枠領域９３側から４番目〜８番目の５本の第一排出フィン５４１がそれぞれ突出端部を有する。具体的には、同４番目の第一排出フィン５４１における突出端部は、第一角部領域９４２に向かって湾曲状に延びている。この突出端部は、第一角部領域９４２に延びる枠フィン５３の延長部の外側に向かうように設けられている。同５番目〜同８番目の４本の第一排出フィン５４１における突出端部は、第一角部領域９４２に向かって直線状に延びている。この５本の突出端部は、後述する第一角部フィン５４２における第一排出領域９４１側の端部に対して互い違いになるようにずれている。
【００９９】
隣り合う直線状の部分同士の間隔は、第一排出領域９４１の第一角部領域９４２側から第一排出口４１側に亘って均一である。隣り合う第一排出フィン５４１における直線状の部分同士の間隔の各々は、互いに同一である。なお、隣り合う第一排出フィン５４１における直線状の部分同士の間隔の各々は、互いに異なっていてもよい。
【０１００】
各第一排出フィン５４１における直線状の部分の長さは、本例では、第一排出領域９４１の左右方向における中央側の第一排出フィン５４１の長さが長く、第一短辺部３１２側及び枠領域９３側の第一排出フィン５４１の長さが短い。そして、枠領域９３側の２本の第一排出フィン５４１が、第一短辺部３１２側の２本の第一排出フィン５４１の長さよりも短い。
【０１０１】
各第一排出フィン５４１の高さは、その延伸方向に沿って均一であり、全ての第一排出フィン５４１の高さは同一である（図５）。各第一排出フィン５４１の厚さは、その延伸方向に沿って均一であり、全ての第一排出フィン５４１の厚さが同一である（図３）。なお、対向フィン５１と同様、少なくとも一つの第一排出フィン５４１の厚さは、その延伸方向に沿って不均一であってもよいし、少なくとも一つの第一排出フィン５４１の厚さが他の第一排出フィン５４１の厚さと異なっていてもよい。
【０１０２】
・第一角部フィン（第二角部フィン）
第一角部フィン５４２は、第一角部領域９４２に設けられる。第一角部フィン５４２が設けられることで、第一Ｌ字状片３１０の角部に枠領域９３側からのファン１１０の風が滞留することを抑制し易い。そのため、枠領域９３から第一角部領域９４２を経て第一排出領域９４１にファン１１０の風を導き易い。
【０１０３】
第一角部フィン５４２の数は、それぞれ複数である。第一角部フィン５４２の具体的な数は、第一角部領域９４２の大きさなどに応じて適宜選択できる。本例の第一角部フィン５４２の数は５本である。
【０１０４】
各第一角部フィン５４２はそれぞれ、第一Ｌ字状片３１０の角部側に向かって凸となるように湾曲する円弧状の部分を有する。上記円弧状の部分を有することで、ファン１１０の風を枠領域９３側から第一排出領域９４１側に導き易い。そのため、第一Ｌ字状片３１０の角部でのファン１１０の風の滞留を抑制し易い。５本の第一角部フィン５４２における上記円弧状の部分は、同心状に等間隔に並列している。各円弧状の部分の一端側は第一排出領域９４１側に位置し、他端側は枠領域９３側に位置している。上記円弧状の部分の長さは、ヒートシンク１０の中心側から第一Ｌ字状片３１０の角部側に向かって順に長くなっている。
【０１０５】
少なくとも第一角部フィン５４２は、更に、上記円弧状の部分における枠領域９３側の端部及び第一排出領域９４１側の端部の少なくとも一方に一連に形成される直線状の部分を有していてもよい。直線状の部分は、上記円弧状の部分における枠領域９３側の端部に一連に形成される場合、第一長辺部３１１に沿って形成されることが挙げられる。直線状の部分は、上記円弧状の部分における第一排出領域９４１側の端部に一連に形成される場合、第一短辺部３１２に沿って形成されていることが挙げられる。
【０１０６】
少なくとも一つの第一角部フィン５４２は、枠フィン５３と同様、第一角部領域９４２の外側（第一排出領域９４１及び枠領域９３の少なくとも一方）にはみ出す突出端部を有していてもよい。突出端部が第一排出領域９４１にはみ出していれば、ファン１１０の風を第一角部領域９４２から第一排出領域９４１に流通させ易い。突出端部が枠領域９３にはみ出していれば、ファン１１０の風を枠領域９３から第一角部領域９４２に流通させ易い。突出端部は、第一角部領域９４２の外側に向かって直線状に延びていることが好ましい。
【０１０７】
本例では、第一角部領域９４２の第一排出領域９４１側から１番目と２番目の第一角部フィン５４２は、上記円弧状の部分と直線状の部分とで構成されている。上記直線状の部分は、上記円弧状の部分におけるファン１１０の風の上流側（枠領域９３側）の端部に一連に形成されていて、第一長辺部３１１に沿って延びている。同２番目の第一角部領域９４２における直線状の部分の長さは、同１番目の第一角部領域９４２における直線状の部分の長さよりも長い。同３番目〜同５番目の第一角部フィン５４２は、上記円弧状の部分と直線状の部分と突出端部とで構成されている。上記直線状の部分は、上記円弧状の部分における上記上流側の端部に一連に形成されていて、第一長辺部３１１に沿って延びている。同３番目〜同５番目の第一角部領域９４２における直線状の部分の長さは、同２番目の第一角部領域９４２における直線状の部分の長さよりも長い。
【０１０８】
第一角部領域９４２の第一排出領域９４１側から３番目〜５番目の３本の第一角部フィン５４２がそれぞれ突出端部を有する。具体的には、各突出端部は、第一角部フィン５４２の直線状の部分から枠領域９３に向かって直線状に延びている。同４番目と同５番目の第一角部フィン５４２における突出端部の長さは、互いに同一であり、３番目の第一角部フィン５４２における突出端部の長さよりも長い。３番目の第一角部フィン５４２における突出端部の上記上流側の端部は、第一角部フィン５４２に延びる延長部を有する枠フィン５３の外側に位置するように設けられている。４番目の第一角部フィン５４２における突出端部の上記上流側の端部は、上方側の固定部７０に繋がる枠フィン５３の先端の内側に向かうように設けられている。５番目の第一角部フィン５４２における突出端部の上記上流側の端部は、上方側の固定部７０に繋がる枠フィン５３の先端の外側に向かうように設けられている。
【０１０９】
各第一角部フィン５４２の高さは、第一排出フィン５４１と同様、その延伸方向に沿って均一であり、全ての第一角部フィン５４２の高さは同一である。各第一角部フィン５４２の厚さは、その延伸方向に沿って均一であり、全ての第一角部フィン５４２の厚さが同一である。なお、第一排出フィン５４１と同様、少なくとも一つの第一角部フィン５４２の厚さは、その延伸方向に沿って不均一であってもよいし、少なくとも一つの第一角部フィン５４２の厚さが他の第一角部フィン５４２の厚さと異なっていてもよい。
【０１１０】
〈その他のフィン〉
・第三排出フィン
外側フィン５２は、更に、枠領域９３に形成される第三排出フィン５６１、５６２を有していてもよい。第三排出フィン５６１、５６２の数は、適宜選択できる。本例では、第三排出フィン５６１、５６２の数は２本である。２本の第三排出フィン５６１、５６２は、ヒートシンク１０の中心に対して互いに対向する位置に設けられている。２本の第三排出フィン５６１、５６２はそれぞれ、枠領域９３の第一排出口４１側及び第二排出口４２側に設けられている。各第三排出フィン５６１、５６２は、第一短辺部３１２及び第二短辺部３２２に沿って直線状に形成されている。
【０１１１】
第三排出フィン５６１、５６２に隣り合う第一排出フィン５４１及び第二排出フィン５５１と各第三排出フィン５６１、５６２との間の間隔は、隣り合う第一排出フィン５４１同士の間の間隔と同じである。各第三排出フィン５６１、５６２と、第二長辺部３２１に繋がる枠フィン５３及び第一長辺部３１１に繋がる枠フィン５３との間の間隔は、ファン１１０の風の上流側が狭く下流側が広くなっている。
【０１１２】
各第三排出フィン５６１、５６２の高さは、第一排出フィン５４１及び第二排出フィン５５１と同じ高さである。各第三排出フィン５６１、５６２の厚さは、第一排出フィン５４１及び第二排出フィン５５１と同じ厚さである。各第三排出フィン５６１、５６２の長さは、各第三排出フィン５６１、５６２に隣り合う第一排出フィン５４１及び第二排出フィン５５１の長さよりも短い。
【０１１３】
［支持部］
支持部６０は、第一板状部２１と第二板状部２２との間に所定の間隔を空けた状態で第一板状部２１と第二板状部２２とを支持する（図１）。支持部６０の数は、本例では４つである。各支持部６０は、ヒートシンク１０の４つの角部に設けられている。各支持部６０は、第一板状部２１の４つの角部に一体に形成されていて、第一板状部２１の内面から第二板状部２２側に向かって突出する。各支持部６０は、第一Ｌ字状片３１０の角部と第二Ｌ字状片３２０の角部と第一短辺部３１２の上記他端部と第二短辺部３２２の上記他端部とに一連に形成されている。
【０１１４】
各支持部６０の形状は、円柱状である。各支持部６０の高さは、第一側壁３１及び第二側壁３２と同じ高さである。各支持部６０と第二板状部２２の固定は、ボルト（図示略）などが利用できる。支持部６０の中心にはボルトを締め付けるボルト穴（図示略）が形成されている。
【０１１５】
［固定部］
固定部７０は、ファン１１０（ケーシング１２０）をヒートシンク１０に取り付ける（図１）。固定部７０の数は本例では４つである。各固定部７０は、第一板状部２１の内面に一体に形成されていて、第一板状部２１の内面から第二板状部２２側に向かって突出している。
【０１１６】
各固定部７０は、本例では導入口２５の内側に、ヒートシンク１０の中心に対して略上下左右の方向に沿って第一長辺部３１１側（上）、第二長辺部３２１側（下）、第一端部領域９４側（左）、第二端部領域９５側（右）の各位置に、周方向に沿って互いに等間隔となるように設けられている（図３）。各固定部７０は、対向フィン５１と枠フィン５３との間に、対向フィン５１と枠フィン５３とに一体に形成されている。
【０１１７】
固定部７０の形状は、円柱状である。第一端部領域９４側及び第二端部領域９５側の固定部７０の高さは、第一長辺部３１１側及び第二長辺部３２１側の固定部７０の高さよりも高く、第一側壁３１及び第二側壁３２と同じ高さである（図５，図７）。第一長辺部３１１側及び第二長辺部３２１側の固定部７０の高さは、第一長辺部３１１及び第二長辺部３２１に繋がる枠フィン５３と同じ高さである。
【０１１８】
各固定部７０へのケーシング１２０の固定は、ボルト（図示略）などが利用できる。各固定部７０の中心にはボルトを締め付けるボルト穴（図示略）が形成されている。
【０１１９】
［材質］
ヒートシンク１０の材質は、金属が挙げられる。金属としては、例えば、アルミニウムやその合金、マグネシウムやその合金、銅やその合金、銀やその合金、鉄やオーステナイト系ステンレス鋼などが挙げられる。これらの金属は熱伝導率が比較的高い。そのため、放熱性に優れる。
【０１２０】
［ファン］
ファン１１０は、ヒートシンク１０内に送風を行う（図１）。ファン１１０の種類は、軸流ファンが挙げられる。軸流ファンは、軸方向の一方から吸気して他方から排気（送風）するファン１１０である。本例では、ヒートシンク１０の外部側から吸気して内部側に向かって排気（送風）するように配置されている。
【０１２１】
ファン１１０は、第二板状部２２の中間部に設けられている。ファン１１０は、回転軸１１１と、回転軸１１１の周方向に設けられる複数の羽根１１２と、回転軸１１１を回転させるモータ（図示略）とを有する。このファン１１０は、ケーシング１２０（後述）内に収納されていて、ケーシング１２０が固定部７０に固定されることでヒートシンク１０の中央部に位置決めされる。
【０１２２】
ファン１１０の数は、一つである。ファン１１０の大きさは、ヒートシンク１０の大きさよりも小さい。ファン１１０の外径（対向領域９１のヒートシンク１０の短辺に沿った長さ）は、本例ではヒートシンク１０の短辺の長さの０．５倍以上０．７５倍以下の長さが好ましい。ファン１１０の上記長さがヒートシンク１０の短辺の長さの０．５倍以上の長さであれば、ファン１１０の大きさが十分に大きいため、ヒートシンク１０の左右両端側にファン１１０の風を流通させ易い。ファン１１０の上記長さがヒートシンク１０の短辺の長さの０．７５倍以下の長さであれば、ファン１１０が過度に大き過ぎないため、ヒートシンク１０の内部でファン１１０の風が滞留することを抑制し易い。
【０１２３】
［ケーシング］
ケーシング１２０は、ファン１１０を収納して、ファン１１０をヒートシンク１０の中央部に固定する（図１）。ケーシング１２０の形状は、本例では矩形筒状である。ケーシング１２０の内形は円筒状であり、外形は矩形筒状である。ケーシング１２０の外形の大きさは、本例では導入口２５内に嵌まる大きさである。ケーシング１２０の四隅には高さ方向（ケーシング１２０の軸方向）に貫通する貫通孔１２１が形成されている。この貫通孔１２１にはボルトが挿通される。このボルトでケーシング１２０を４つの固定部７０に固定する。なお、ケーシング１２０の外形の大きさは導入口２５よりも大きくてもよい。ケーシング１２０のサイズが導入口２５よりも大きい場合、ケーシング１２０は第二板状部２２の外側面上に固定するとよい。その場合、第二板状部２２には、ボルト穴を形成しておくとよい。
【０１２４】
〔作用効果〕
実施形態１に係る冷却装置１Ａは、短辺に対する長辺の長さが長い回路構成体の中央及び左右両端側を冷却し易い。ヒートシンク１０は、上述のように、短辺に対して長辺の長さが長い矩形容器状であっても、中央及び左右両端側の放熱性を高め易いからである。
【０１２５】
《実施形態２》
〔冷却装置〕
図８から図１２を参照して、実施形態２に係る冷却装置１Ｂを説明する。冷却装置１Ｂは、主として、フィン５０の形状・配置形態（レイアウト）が、実施形態１に係る冷却装置１Ａと相違する。以下、相違点を中心に説明し、同様の構成については説明を省略する。なお、図８から図１２では、説明の便宜上、支持部を省略している。
【０１２６】
〔ヒートシンク〕
［第二板状部］
第二板状部２２の導入口２５の周りには、ファン１１０のケーシング１２０を固定するためのボルト穴（図示略）が形成されている。ボルト穴の数は、ケーシング１２０の貫通孔１２１の数に対応した数が挙げられ、本例では４つである。
【０１２７】
（導入口）
第二板状部２２の中央部に開口する導入口２５の形状は、実施形態１に係るヒートシンク１０と同様、矩形状である（図８）。本例の導入口２５は、その一辺がヒートシンク１０の長辺（短辺）に沿うように形成されている。導入口２５の大きさは、ケーシング１２０よりも小さい。
【０１２８】
［第一側壁・第二側壁］
〈第一長辺部・第二長辺部〉
第一側壁３１及び第二側壁３２は、第一長辺部３１１及び第二長辺部３２１のみを有する（図８から図１０）。即ち、本例の第一側壁３１及び第二側壁３２は、実施形態１に係るヒートシンク１０とは異なり、第一短辺部及び第二短辺部を有さない。本例の第一長辺部３１１及び第二長辺部３２１は、ヒートシンク１０の長辺の全長に亘って形成されている（図９から図１１）。そのため、ファン１１０の風がヒートシンク１０の各長辺側から外部に漏洩することを抑制できる。
【０１２９】
［第一排出口・第二排出口］
第一排出口４１及び第二排出口４２は、ヒートシンク１０の各短辺側の全長に亘って設けられている（図１０、図１２）。即ち、第一排出口４１及び第二排出口４２のヒートシンク１０の各短辺に沿った長さは、ヒートシンク１０の短辺の全長と同じ長さである。そのため、ファン１１０の風をヒートシンク１０の左右両端側に流通させ易い。
【０１３０】
［領域］
ヒートシンク１０は、対向領域９１と外側領域９２とを有する（図１０）。
【０１３１】
（対向領域）
対向領域９１は、ファン１１０に対向する領域であり、実施形態１と同様、軸対向領域９１１と羽根対向領域９１２とを有する。
【０１３２】
（外側領域）
外側領域９２は、対向領域９１の外側に位置する領域である点は実施形態１と同様であるが、本例の外側領域９２は、内枠領域９８１と外枠領域９８２とを有する点が、実施形態１と相違する。
【０１３３】
〈内枠領域〉
内枠領域９８１は、導入口２５に対向する領域のうち、対向領域９１の外側を囲む領域である。内枠領域９８１の内形は、円形状である。内枠領域９８１の内周の直径は、対向領域９１の直径に相当する。内枠領域９８１の外形は、導入口２５の形状と同じ形状であり、本例では正方形状である。内枠領域９８１の外形の大きさは、導入口２５の大きさと同じである。
【０１３４】
〈外枠領域〉
外枠領域９８２は、内枠領域９８１の外側の領域である。外枠領域９８２の内形は、内枠領域９８１の外形と同じ形状であり、本例では正方形状である。外枠領域９８２の内形の大きさは、内枠領域９８１の外形の大きさ（導入口２５の大きさ）と同じである。外枠領域９８２の外形は、矩形状である。外枠領域９８２の短辺は、ヒートシンク１０の短辺に相当し、外枠領域９８２の長辺は、ヒートシンク１０の長辺に相当する。
【０１３５】
［フィン］
複数のフィン５０は、対向フィン５１と外側フィン５２とを有する（図８から図１２）。
【０１３６】
（対向フィン）
対向フィン５１は、実施形態１と同様、対向領域９１の羽根対向領域９１２に形成され、軸対向領域９１１には形成されない（図１０）。本例の対向フィン５１の数は、実施形態１と同様、１２本である。１２本の対向フィン５１は、羽根対向領域９１２の周方向に沿って互いに等間隔と並列するように設けられている。１２本の対向フィン５１は、ヒートシンク１０の中央側から外周縁側に向かって放射状に延びる放射フィンで構成されている。対向フィン５１が上記放射フィンで構成されていることで、対向領域９１でファン１１０の風をスムースに流通させ易い。各対向フィン５１の形状は、本例では直線状である。対向フィン５１の形状が直線状であることで、対向領域９１から外側領域９２に向かってファン１１０の風を直線的に流通させ易い。１２本の対向フィン５１のうち、２本の対向フィン５１がヒートシンク１０の短辺に沿った方向に平行であり、２本の対向フィン５１が長辺に沿った方向に平行である。
【０１３７】
隣り合う対向フィン５１同士の間隔は、軸対向領域９１１側の間隔が狭く、羽根対向領域９１２側の間隔が広い。隣り合う対向フィン５１同士の間隔は、軸対向領域９１１側から羽根対向領域９１２側に向かって漸次広くなるように形成されている。
【０１３８】
各対向フィン５１の高さは、外側フィン５２の高さの２５％以上７５％以下の長さを有することが好ましい。外側フィン５２の高さとは、後述する外枠フィン５８２の高さをいう。本例の各対向フィン５１の高さは、外枠フィン５８２の高さの２５％以上７５％以下の長さを有する。各対向フィン５１の高さはその延伸方向に沿って均一であり、全ての対向フィン５１の高さは同一である。各対向フィン５１の長さは、互いに同一である。各対向フィン５１の厚さはその延伸方向に沿って均一であり、全ての対向フィン５１の厚さは同一である。
【０１３９】
（外側フィン）
外側フィン５２は、外側領域９２に設けられる。本例の外側フィン５２は、内枠フィン５８１と外枠フィン５８２とを有する。
【０１４０】
〈内枠フィン〉
内枠フィン５８１は、内枠領域９８１に設けられる。内枠フィン５８１を備えることで、ファン１１０の風を対向領域９１側から外枠領域９８２側に向かって導き易い。
【０１４１】
内枠フィン５８１の数は複数である。内枠フィン５８１の具体的な数は、内枠領域９８１の大きさなどに応じて適宜選択できる。本例の内枠フィン５８１の数は、１６本であり、対向フィン５１の数よりも多い。なお、内枠フィン５８１の数は、対向フィン５１の数と同数でもよいし対向フィン５１よりも少なくてもよい。
【０１４２】
１６本の内枠フィン５８１は、内枠領域９８１の周方向に沿って並列するように設けられている。１６本の内枠フィン５８１は、上記放射フィンで構成されている。各内枠フィン５８１の形状は、対向フィン５１と同様、直線状である。
【０１４３】
１６本の内枠フィン５８１のうち、１２本の内枠フィン５８１における対向領域９１側（ファン１１０の風の上流側）の端部は、対向フィン５１に一連に形成されている。対向フィン５１と内枠フィン５８１とが一連に形成されていることで、ファン１１０の風を内枠領域９８１の対向領域９１側から外枠領域９８２側に向かって導き易い。この１２本の内枠フィン５８１は、対向フィン５１に沿っている。この１２本の内枠フィン５８１における外枠領域９８２側（ファン１１０の風の下流側）の端部は、内枠領域９８１と外枠領域９８２との境界に位置している。
【０１４４】
残りの４本の内枠フィン５８１は、対向フィン５１とは一連に形成されず、対向フィン５１とは独立して形成されている。４本の内枠フィン５８１は、本例では内枠領域９８１の四隅に形成されている。４本の内枠フィン５８１における上記上流側の端部は、内枠領域９８１と対向領域９１との境界とは所定の間隔を開けて設けられている。４本の内枠フィン５８１における上記下流側の端部は、内枠領域９８１と外枠領域９８２との境界に位置している。
【０１４５】
各内枠フィン５８１の高さは、本例では対向フィン５１と同じ高さとしている。即ち、各内枠フィン５８１の高さは、外枠フィン５８２の高さの２５％以上７５％以下の長さを有する。なお、各内枠フィン５８１の高さは後述する外枠フィン５８２と同じ高さでもよい。各内枠フィン５８１の高さは各内枠フィン５８１の延伸方向に沿って均一であり、全ての内枠フィン５８１の高さは同一である。なお、少なくとも一つの内枠フィン５８１の高さは、その延伸方向に沿って不均一であってもよい。内枠フィン５８１の高さは、例えば、対向領域９１側から外枠領域９８２側に向かって漸次高くなるように傾斜していてもよいし、段差状になっていてもよい。少なくとも一つの内枠フィン５８１の高さが他の内枠フィン５８１の高さと異なっていてもよい。
【０１４６】
各内枠フィン５８１の長さは、内枠領域９８１の大きさ（対向領域９１と外枠領域９８２との間隔）と内枠領域９８１における配置箇所とに応じて適宜選択できる。本例では、ヒートシンク１０の上下左右の位置にある内枠フィン５８１が最も短く、四隅にある内枠フィン５８１の長さ、それら以外の内枠フィン５８１の長さ、の順に長くなっている。
【０１４７】
各内枠フィン５８１の厚さはその延伸方向に沿って均一であり、全ての内枠フィン５８１の厚さは同一である。なお、少なくとも一つの内枠フィン５８１の厚さは、その延伸方向に沿って不均一であってもよい。内枠フィン５８１の厚さは、例えば、対向領域９１側から外枠領域９８２側に向かって漸次薄く（厚く）なっていてもよいし、局所的に薄く（厚く）なっていてもよい。少なくとも一つの内枠フィン５８１の厚さが他の内枠フィン５８１の厚さと異なっていてもよい。
【０１４８】
〈外枠フィン〉
外枠フィン５８２は、外枠領域９８２に設けられる。外枠フィン５８２を備えることで、対向領域９１から流通するファン１１０の風をヒートシンク１０の左右両端側（第一排出口４１及び第二排出口４２）に向かって導き易い。
【０１４９】
外枠フィン５８２の数は、複数である。外枠フィン５８２の具体的な数は、外枠領域９８２の大きさなどに応じて適宜選択できる。本例の外枠フィン５８２の数は、３２本である。
【０１５０】
３２本の外枠フィン５８２は、外枠領域９８２の周方向に並列するように設けられている。３２本の外枠フィン５８２は、上記放射フィンで構成されている。３２本の外枠フィン５８２の形状は、直線状である。隣り合う外枠フィン５８２同士の間の間隔は、ファン１１０の風の上流側（内枠領域９８１側）から下流側（外枠領域９８２の外周縁側）に向かって漸次広くなるように形成されている。
【０１５１】
３２本の外枠フィン５８２のうち、１６本の外枠フィン５８２は、内枠フィン５８１に一連に形成されている。即ち、１２本の外枠フィン５８２は、内枠フィン５８１及び対向フィン５１と一連に形成されていて、４本の外枠フィン５８２は、内枠フィン５８１のみと一連に形成されている。外枠フィン５８２と内枠フィン５８１とが一連に形成されていることで、ファン１１０の風を内枠領域９８１側から外枠領域９８２に向かって導き易い。
【０１５２】
外枠領域９８２をヒートシンク１０の短辺と長辺とをそれぞれ二等分する仮想線（一点鎖線で示す）で分ける（図１０）。左上の領域の外枠フィン５８２と右上の領域の外枠フィン５８２とは、長辺を二等分する仮想線に対して線対称である。左上の領域の外枠フィン５８２と左下の領域の外枠フィン５８２とは、短辺を二等分する仮想線に対して線対称である。左上の領域の外枠フィン５８２と右下の領域の外枠フィン５８２とは、ヒートシンク１０の中心に対して点対称である。代表して左上の領域の外枠フィン５８２について説明する。左上の領域の外枠フィン５８２は９本である。外枠フィン５８２のヒートシンク１０の短辺を二等分する仮想線側を１番目の外枠フィン５８２とし、ヒートシンク１０の長辺を二等分する仮想線側を９番目の外枠フィン５８２とする。
【０１５３】
１番目の外枠フィン５８２は、第一長辺部３１１及び第二長辺部３２１に平行に設けられている。この外枠フィン５８２における上流側の端部は内枠フィン５８１に一連に形成され、下流側の端部は第一排出口４１に面するように設けられている。この外枠フィン５８２は、内枠フィン５８１及び対向フィン５１に沿っている。この外枠フィン５８２の長さは、内枠領域９８１との境界から第一排出口４１及び第二排出口４２に亘る長さを有し、９本の外枠フィン５８２の中で最も長い。
【０１５４】
２番目及び３番目の外枠フィン５８２は、第一排出口４１側に向かって延びている。２番目及び３番目の外枠フィン５８２における上流側の端部は、内枠フィン５８１に一連に形成されておらず、内枠領域９８１との間に所定の間隔を空けて設けられている。２番目の上流側の端部と内枠領域９８１との間の間隔は、３番目の上流側の端部と内枠領域９８１との間の間隔よりも長い。２番目の上流側の端部は、内枠領域９８１とヒートシンク１０の短辺との間における略中央の位置に設けられている。３番目の上流側の端部は、内枠流域の近傍に設けられている。２番目及び３番目の外枠フィン５８２における下流側の端部は、第一排出口４１に面するように設けられている。
【０１５５】
４番目の外枠フィン５８２は、ヒートシンク１０の角部側に向かって延びている。この外枠フィン５８２における上流側の端部は、内枠フィン５８１に一連に形成されておらず、内枠領域９８１との間に所定の間隔を空けて設けられている。この外枠フィン５８２における下流側の端部は、ヒートシンク１０の角部との間に所定の間隔を開けるように設けられている。
【０１５６】
５番目〜７番目の外枠フィン５８２は、第一長辺部３１１側に交差するように第一長辺部３１１側に向かって延びている。６番目の外枠フィン５８２における上流側の端部は、内枠領域９８１の角部（左上の角部）に設けられる内枠フィン５８１に一連に形成されている。５番目及び７番目の外枠フィン５８２における上流側の端部は、内枠領域９８１の角部に設けられる内枠フィン５８１を挟んで設けられる内枠フィン５８１に一連に形成されている。これら外枠フィン５８２はいずれも、内枠フィン５８１に沿っている。これらの外枠フィン５８２における下流側の端部は、第一長辺部３１１との間に所定の間隔を開けるように設けられている。
【０１５７】
８番目の外枠フィン５８２は、第一長辺部３１１側に交差するように第一長辺部３１１側に向かって延びている。この外枠フィン５８２における上流側の端部は、内枠フィン５８１に一連に形成されておらず、内枠領域９８１との間に所定の間隔を空けて設けられている。この外枠フィン５８２における下流側の端部は、第一長辺部３１１との間に所定の間隔を開けるように設けられている。この外枠フィン５８２の長さは、９本の外枠フィン５８２の中で最も短い。
【０１５８】
９番目の外枠フィン５８２は、第一長辺部３１１側に直交するように設けられている。この外枠フィン５８２における上流側の端部は、内枠フィン５８１に一連に形成されている。この外枠フィン５８２は内枠フィン５８１に沿っている。この外枠フィン５８２における下流側の端部は、第一長辺部３１１との間に所定の間隔を開けるように設けられている。４番目から９番目の外枠フィン５８２における下流側の端部は、第一長辺部３１１側において同じ位置に配置されている。
【０１５９】
各外枠フィン５８２の高さは、対向フィン５１よりも高く、第一長辺部３１１及び第二長辺部３２１より低い。各外枠フィン５８２の高さはその延伸方向に沿って均一であり、全ての外枠フィン５８２の高さは同一である。なお、少なくとも一つの外枠フィン５８２の高さは、その延伸方向に沿って不均一であってもよい。外枠フィン５８２の高さは、例えば、内枠領域９８１側から外枠領域９８２の外周縁側に向かって漸次高くなるように傾斜していてもよいし、段差状になっていてもよい。少なくとも一つの外枠フィン５８２の高さが他の外枠フィン５８２の高さと異なっていてもよい。
【０１６０】
各外枠フィン５８２の厚さはその延伸方向に沿って均一であり、全ての外枠フィン５８２の厚さは同一である。なお、少なくとも一つの外枠フィン５８２の厚さは、その延伸方向に沿って不均一であってもよい。外枠フィン５８２の厚さは、例えば、内枠領域９８１側から外枠領域９８２の外周縁側に向かって漸次薄く（厚く）なっていてもよいし、局所的に薄く（厚く）なっていてもよい。少なくとも一つの外枠フィン５８２の厚さが他の外枠フィン５８２の厚さと異なっていてもよい。
【０１６１】
［ファン］
ファン１１０（対向領域９１）におけるヒートシンク１０の短辺に沿った長さは、実施形態１と同様、ヒートシンク１０の短辺の長さの０．５倍以上の長さであることが好ましい（図８）。また、ファン１１０の上記長さは、実施形態１とは異なり、１倍以下が好ましい。即ち、ファン１１０の上記長さは、短辺と同じ長さであってもよい。ファン１１０の上記長さは、ヒートシンク１０の短辺の長さの０．７５倍以下の長さが好ましい。
【０１６２】
［ケーシング］
ケーシング１２０の外形の大きさは導入口２５よりも大きい。ケーシング１２０は、貫通孔１２１に挿通されるボルトを第二板状部２２のボルト穴（図示略）に締め付けることで、ヒートシンク１０の中央部に固定する。
【０１６３】
〔作用効果〕
上述の実施形態２に係る冷却装置１Ｂによれば、実施形態１に係る冷却装置１Ａと同様、短辺に対する長辺の長さが長い回路構成体の中央及び左右両端側を冷却し易い。ヒートシンク１０は、上述のように、短辺に対して長辺の長さが長い矩形容器状であっても、中央及び左右両端側の放熱性を高め易いからである。
【０１６４】
《試験例１》
冷却装置の放熱性能の違いをシミュレーションにより調べた。シミュレーションソフトウェアは、メンター・グラフィックス社製ＦｌｏＴＨＥＲＭを使用した。
【０１６５】
〔試料Ｎｏ．１〕
試料Ｎｏ．１の冷却装置は、図１から図７を参照して説明した実施形態１に係る冷却装置１Ａと同様である（適宜、実施形態１を参照）。試料Ｎｏ．１の冷却装置におけるヒートシンク１０の対向フィン５１の高さは、表１に示す通り、０．０ｍｍから１７．７ｍｍの範囲内で種々変更した。対向フィン５１の高さが０．０ｍｍとは、対向フィン５１が形成されていないことを意味する。外側フィン５２の高さは全て、表１に示す通り、１７．７ｍｍとした。外側フィン５２の高さは、第一板状部２１の内側面と第二板状部２２の内側面との間を直線状に結ぶ最短距離の９２％の長さを有する。
【０１６６】
〔試料Ｎｏ．２〕
試料Ｎｏ．２の冷却装置は、図８から図１２を参照して説明した実施形態２に係る冷却装置１Ｂと同様である（適宜、実施形態２を参照）。試料Ｎｏ．２の冷却装置におけるヒートシンク１０の対向フィン５１の高さは、表１に示す通り、１０．０ｍｍから１７．７ｍｍの範囲内で種々変更した。外枠フィン５８２（外側フィン５２）の高さは全て、表１に示す通り、１７．７ｍｍとした。外枠フィン５８２（外側フィン５２）の高さは、第一板状部２１の内側面と第二板状部２２の内側面との間を直線状に結ぶ最短距離の９２％の長さを有する。
【０１６７】
〔試料Ｎｏ．１０１〕
試料Ｎｏ．１０１の冷却装置は、試料Ｎｏ．２の冷却装置におけるヒートシンクの第一長辺部（第一側壁）及び第二長辺部（第二側壁）を備えない点を除き、試料Ｎｏ．２の冷却装置１Ｂと同様とした。対向フィン及び外側フィンの高さは全て、表１に示す通り、１７．７ｍｍとした。外側フィンの高さは、第一板状部の内側面と第二板状部の内側面との間を直線状に結ぶ最短距離の９２％の長さを有する。
【０１６８】
〔放熱性能の評価〕
試料Ｎｏ．１、Ｎｏ．２、Ｎｏ．１０１の冷却装置の放熱性能を評価した。各試料の冷却装置における放熱性能の評価は、ヒートシンクの第一板状部に所定の温度を与えた状態でファンを所定の時間駆動してヒートシンク内に送風を行ったときの第一板状部の温度上昇値（Δ℃）を測定することで行なった。温度上昇値は、各冷却装置におけるヒートシンクの中心（第一板状部の対角交点）と、その中心からヒートシンクの長辺に沿った方向に等距離となる地点との合計３箇所を測定した。
【０１６９】
試料Ｎｏ．１の冷却装置における３つの温度測定箇所を図３に「Ｘ印」で示す。具体的には、ヒートシンク１０の中心と、第一排出領域９４１と第一角部領域９４２との境界のうち枠領域側から６番目と７番目の第一排出フィン５４１同士の間（左端部側）の地点と、第二排出領域９５１と第二角部領域９５２との境界のうち枠領域９３側から６番目と７番目の第二排出フィン５５１同士の間（右端部側）の地点とした。試料Ｎｏ．２の冷却装置における３つの温度測定箇所は、試料Ｎｏ．１の冷却装置における３つの温度測定箇所と同じ箇所とした。この３つの温度測定箇所を図１０に「Ｘ印」で示す。具体的には、ヒートシンク１０の中心と、その中心とヒートシンク１０の長辺に沿った方向の両端との中間点より両端部側（左端部側と右端部側）の地点とした。試料Ｎｏ．１０１における３つの温度測定点は、試料Ｎｏ．２と同じ箇所とした。それらの結果を表１に示す。
【０１７０】
【表１】
2020088001.tif 000003
【０１７１】
試料Ｎｏ．１及び試料Ｎｏ．２の冷却装置は、試料Ｎｏ．１０１の冷却装置に比較して、ヒートシンクの中央及び左右両端部側の放熱性に優れることがわかった。
【０１７２】
試料Ｎｏ．１と試料Ｎｏ．１０１とを比較する。試料Ｎｏ．１の冷却装置は、対向フィン５１の有無に関係なく、試料Ｎｏ．１０１に比較して、中心及び左右端部側の地点の温度上昇を抑制できることがわかった。具体的には、中心の温度上昇値は、５℃以上も抑制でき、更には７℃以上も抑制でき、特に８℃以上も抑制できた。左側端部の温度上昇値は、８℃以上も抑制でき、更には９℃以上も抑制できた。右側端部の温度上昇値は、７℃以上も抑制でき、更には７．５℃以上も抑制できた。
【０１７３】
試料Ｎｏ．２と試料Ｎｏ．１０１とを比較する。試料Ｎｏ．２の冷却装置は、対向フィン５１の高さの大小に関係なく、試料Ｎｏ．１０１に比較して、中心及び左右端部側の地点の温度上昇を抑制できることがわかった。具体的には、中心の温度上昇値は、６℃以上も抑制できた。左側端部の温度上昇値は、８℃以上も抑制できた。右側端部の温度上昇値は、７℃以上も抑制できた。
【０１７４】
試料Ｎｏ．１と試料Ｎｏ．２とを比較する。対向フィンの高さが同じもの同士を比較すると、試料Ｎｏ．１の冷却装置は、試料Ｎｏ．２の冷却装置に比較して、中心及び左右端部側の地点の温度上昇を抑制できることがわかった。
【０１７５】
試料Ｎｏ．１の冷却装置は、対向フィン５１の高さが高いほど中心の地点の温度上昇を抑制できて、対向フィン５１の高さが低いほど左右端部側の温度上昇を抑制できることがわかった。試料Ｎｏ．１の冷却装置は、対向フィン５１の高さが、外側フィン５２の高さに対して２５％以上７５％の高さを満たすことで、中心の地点の温度上昇を抑制しつつ、左右端部側の地点の温度上昇を抑制できる。即ち、中心及び左右端部側の地点における放熱性のバランスが良いことがわかった。
【０１７６】
本発明は、これらの例示に限定されるものではなく、特許請求の範囲によって示され、特許請求の範囲と均等の意味および範囲内でのすべての変更が含まれることが意図される。
【符号の説明】
【０１７７】
１Ａ、１Ｂ  冷却装置
１０  ヒートシンク
２１  第一板状部
２２  第二板状部
２５  導入口
３１  第一側壁
３１０  第一Ｌ字状片
３１１  第一長辺部
３１２  第一短辺部
３２  第二側壁
３２０  第二Ｌ字状片
３２１  第二長辺部
３２２  第二短辺部
４１  第一排出口
４２  第二排出口
５０  フィン
５１  対向フィン
５２  外側フィン
５３  枠フィン
５４  第一端部フィン
５４１  第一排出フィン
５４２  第一角部フィン
５５  第二端部フィン
５５１  第二排出フィン
５５２  第二角部フィン
５６１、５６２  第三排出フィン
５８１  内枠フィン
５８２  外枠フィン
６０  支持部
７０  固定部
９１  対向領域
９１１  軸対向領域
９１２  羽根対向領域
９２  外側領域
９３  枠領域
９４  第一端部領域
９４１  第一排出領域
９４２  第一角部領域
９５  第二端部領域
９５１  第二排出領域
９５２  第二角部領域
９８１  内枠領域
９８２  外枠領域
１１０  ファン
１１１  回転軸
１１２  羽根
１２０  ケーシング
１２１  貫通孔
【図１】
2020088001.tif 000004
【図２】
2020088001.tif 000005
【図３】
2020088001.tif 000006
【図４】
2020088001.tif 000007
【図５】
2020088001.tif 000008
【図６】
2020088001.tif 000009
【図７】
2020088001.tif 000010
【図８】
2020088001.tif 000011
【図９】
2020088001.tif 000012
【図１０】
2020088001.tif 000013
【図１１】
2020088001.tif 000014
【図１２】
2020088001.tif 000015